(57)【特許請求の範囲】
【請求項１】
スキンケア組成物を有する物品であって、該物品の皮膚接触表面の少なくとも一部に前記スキンケア組成物が配置されてなり、前記組成物が、前記物品が皮膚近傍に位置した際に皮膚に少なくとも部分的に移動可能であり、前記組成物が、５〜９５％のキャリア、０．００１〜７０wt％の少なくとも１種のスキンケア成分、および０．５〜５wt％の少なくとも１種のレオロジー剤を含んでなり、前記組成物が：
（ｉ）０．２％の歪率、１０rad/secの振動数、および７７℃の温度で測定される、少なくとも５dyne/cm2の弾性率
（ii）少なくとも３５℃の融点；および
(iii)２０℃で固形または半固形の粘稠性
を有してなり、
キャリアが、石油ベース皮膚軟化剤、脂肪酸エステル、ポリシロキサン、スクロースエステル脂肪酸、アルキルエトキシレート、保湿剤、ラノリンおよび誘導体、およびそれらの混合物からなる群より選択され；
スキンケア成分が、モノグラフカテゴリー（Monograph Category）Ｉ活性剤、モノグラフカテゴリー（Monograph Category）III活性剤、酵素インヒビター、プロテアーゼインヒビター、キレート化剤、抗菌剤、プロトン供与剤、アロエエキス、およびそれらの混合物からなる群より選択され；および
レオロジー剤が、未処理ヒュームドシリカ、処理ヒュームドシリカ、オルガノクレー、金属脂肪エステル石鹸、カルシウムシリケート、ポリマー増粘剤、天然または有機増粘剤、アニオン性界面活性剤、両性界面活性剤、およびそれらの混合物からなる群より選択される、物品。
【請求項２】
組成物が、５〜５０，０００dyne/cm2の弾性率、および１〜１００，０００センチポイズの見掛け粘度を有する、請求項１に記載の物品。
【請求項３】
組成物が、ポリヒドロキシ脂肪酸エステル、ポリヒドロキシ脂肪酸アミド、Ｃ１４‐Ｃ６０脂肪アルコール、Ｃ１４‐Ｃ６０脂肪酸、約２〜約１１０の平均エトキシル化度を有するＣ１４‐Ｃ６０脂肪アルコールエトキシレート、ロウ、およびそれらの混合物からなる群より選択される定着剤を更に含んでなる、請求項１または２に記載の物品。
【請求項４】
レオロジー剤が、０．００１〜１００ミクロンの範囲で容量加重平均粒径を有する処理ヒュームドシリカであり、ポリメチルシロキサン処理ヒュームドシリカ、トリメチルシラン化ヒュームドシリカ、ジメチルジシラン化ヒュームドシリカ、およびそれらの混合物からなる群より選択される、請求項１〜３のいずれか一項に記載の物品。
【請求項５】
レオロジー剤が、ベントナイト、ヘクトライト、およびそれらの混合物からなる群より選択されるオルガノクレーである、請求項１〜３のいずれか一項に記載の物品。
【請求項６】
スキンケア成分が、酸化亜鉛、タルク、デンプン、アラントイン、ヘキサミジン、ヘキサミジンジイセチオネートおよびその塩、トリアセチン、フィチン酸、エチレンジアミン四酢酸（ＥＤＴＡ）、塩酸４‐（２‐アミノエチル）ベンゼンスルホニルフルオリド、キトサン、およびそれらの混合物からなる群より選択される、請求項１〜５のいずれか一項に記載の物品。
【請求項７】
スキンケア成分が、キャリアに実質的に不溶性であり、１０００ミクロン以下の平均粒径を有する粒子を含んでなる、請求項１〜６のいずれか一項に記載の物品。
【請求項８】
０．００７８mg/cm2〜１５．６mg/cm2の組成物を含んでなる、請求項１〜７のいずれか一項に記載の物品。
【請求項９】
（ａ）請求項１〜８のいずれか一項に記載されたスキンケア組成物を形成し；および
（ｂ）スキンケア組成物を基材の少なくとも一部へ適用する；
工程を含んでなり、基材が０．００７８mg/cm2〜１５．６mg/cm2の組成物を含んでなる、スキンケア組成物を基材へ適用するための方法。
【請求項１０】
工程（ｂ）が、スプレー、印刷、コンタクトスロットコーティング、グラビアコーティング、浸漬、押出し、およびそれらの組合せからなる群より選択される、請求項９に記載の方法。
【請求項１１】
組成物が固化するように、十分低い温度までスキンケア組成物を冷却させることを更に含んでなる、請求項１０に記載の方法。
【発明の詳細な説明】
【０００１】
【発明の背景】
尿および他の体滲出液を吸収する高い能力を有した、おむつ、トレーニングパンツ、成人失禁物品、生理用ナプキン、パンティライナーなどのような使い捨て吸収性物品の多くのタイプが市販されている。このタイプの使い捨て製品は、ある種類の液体透過性トップシート物質、吸収性芯および液体不透過性バックシート物質から通常なる。これらタイプの吸収性物品は液体の吸収に関して高度に効率的であるが、吸収性物品下の皮膚はおむつかぶれまたはおむつ皮膚炎、紅斑（即ち、発赤）、あせも、擦過傷、加圧跡およびスキンバリヤ喪失を含めた皮膚障害をよりうけやすいことも通常知られている。おむつかぶれは、おむつで普通に覆われた幼児体の部分でよくあるタイプの刺激および炎症である。おむつかぶれまたはおむつ皮膚炎は接触型刺激皮膚炎として始まる症状である、と通常みなされている。おむつ皮膚炎に関連してよく知られたファクターには、アンモニア、細菌、細菌作用の産物、尿ｐＨ、candida albicansおよび水分がある。この刺激および／または炎症は、尿、糞または双方への皮膚の長期接触から生じる。吸収性物品が着用されて体滲出液を貯留しているとき、吸収性物品は着用者の皮膚を体滲出液中の刺激物と直接接触させ続けるのみならず、皮膚を閉塞状態に保ってしまう。多くの場合、皮膚は長期間にわたり、即ち汚れた物品が交換されるまで、このような状態に曝される。吸収性物品下の皮膚がこのような長期の反復される暴露により水分過剰となるかまたは刺激をうけると、皮膚状態は損なわれ、即ち皮膚は損傷をうけ、および／または皮膚障害またはダメージをよりうけやすくなる。この状態は確かに幼児の方が一般的であるが、幼児に限られない。同様の状態は、例えば失禁者または寝たきり成人でも生じる。
【０００２】
おむつ当て部分における皮膚状態の改善のための一般的アプローチは、おむつの頻繁な交換、水分吸収粉末の使用、超吸収物質の使用およびおむつで空気流の改善などのように、皮膚水分の減少に多くが向けられている。
【０００３】
もう１つの一般的アプローチは、患部へ局所用クリーム、軟膏、ローションまたはペーストを塗布することである。この作業は、糞または尿刺激物との直接接触に対して、皮膚へある程度の物理的バリヤ防御を通常もたらす。しかしながら、バリヤアプローチはそれ自体閉塞的であるため、おむつ皮膚炎の発症状態が進行するとさほど有効でなくなる。おむつかぶれ用クリームまたは軟膏を厚く大量に塗る傾向があるが、これは閉塞的で、汚れやすく、むだが多くて、美観上不快である。更に、過剰のクリーム／軟膏が吸収性物品または下着のような他の衣類へ移行して、吸収力の減少または衣類のしみ付きを招くことがある。この作業も時間がかかり、しばしば忘れられる。更に、クリーム／軟膏は典型的には再使用可能な容器へ入れられて、皮膚へ手で塗布される。その組成物は幼児の皮膚に留まるようにどろどろして脂じみたべとつくような稠度を多々有しており、残留組成物は容器の開口部または介護者の手から容易には取り除けず、幼児間の交差汚染の可能性が増す。
【０００４】
別なアプローチでは、多成分スキンケア組成物を用いることで、多数の原因または重要なコファクターを同時に扱おうとしている。その組成物はバリヤ物質、スキンコンディショニング剤または皮膚軟化剤を含有し、更には様々なスキンケア成分さえ含有することがある。
【０００５】
スキンケア成分は、油性物質への限られた溶解性のために、実質的に油性の組成物へ懸濁された不溶性粒子として存在することがある。更に、これらの固形粒子は、それらが分散される油性マトリックスよりも、通常かなり高い密度を有している。例えば、一般的な市販おむつかぶれ用クリームまたは軟膏では、有機マトリックスに酸化亜鉛粒子を分散させている。酸化亜鉛は約５．７g/cm3の密度有しており、一方有機物の密度は通常約０．９g/cm3である。この大きな密度差はしばしば分離および加工問題を招く。
【０００６】
ローション組成物中でスキンケア成分の良い懸濁が高度に望ましい。ここで用いられている“良い”懸濁とは、粒状物質が媒体に実質上均一に分散され、その分散が安定であって、即ち時間の経過によっても目に見える層化、凝集または沈降がないことを意味している。諸成分の均一な分布は、製品品質のばらつきを最少に抑えて、皮膚へ製品を適用するたびに、効力を発揮する上で十分な量の成分をデリバリーすることを確実にする。望ましい効果を発揮させるために製品を過剰適用する必要がなく、結果的にむだが少なくなる。そのため、良い懸濁は皮膚へのこれらスキンケア成分の最も効率的なデリバリーをもたらして、皮膚効果を最大化させる。更に、効力を確保するために余分な量の高価な成分を配合する必要がなくなり、そのため有効な組成物を少ないコストで作ることができる。加えて、良い懸濁はローションの塊状化も減らして、適用されたときに滑らかな皮膚感をもたらす。
【０００７】
通常、ニュートン流体中での粒子の懸濁はストークスの法則に従い、分離および沈降の速度が懸濁粒子と懸濁媒体との密度差、懸濁粒子の粒径の二乗に比例して、媒体の粘度に反比例する。凝集および重力沈降は粒状物質がニュートン流体に懸濁されたときによく観察され、これら組成物の貯蔵、輸送および加工で問題を生じる。バッチプロセスが用いられたとき、凝集および沈降は保持タンクで生じうる。更に、組成物が加工装置内を流動すると、保持タンクまたはそのプロセスの過程で形成された凝集物は、加工ラインに沿って小さな直径を有する（パイプ、バルブ、スロットのような）様々なエレメントに詰まりやすくなる。この“ブリッジング”問題はオリフィス、開口部、スロットおよび／または狭いパイプをよく詰まらせて、加工装置を通る組成物の流動をかなり減少または停止すらさせることがある。
【０００８】
攪拌または乱流は懸濁粒子を再分散させて、凝集および沈降問題を回避することができる。パイプなどのエレメントを通る液体の流れは層流化または乱流化することがあり、層流から乱流への移行は流体の性質、その速度およびパイプの直径に依存することが知られている。しかしながら、攪拌、速度およびパイプ直径は装置の所定部品を限定範囲へ制約する加工パラメーターである。装置限定範囲内でこれらパラメーターにばらつきがあると、問題の解決に失敗することが多い。
【０００９】
増粘剤、チキソトロープ剤および分散剤のような様々なレオロジー剤も、組成物のレオロジー性を変えるためにこのような組成物へ加えてよい。これらのレオロジー剤は、懸濁の安定性を改善して、広範囲プロセス条件および最終使用状況に合わせて望ましいレベルに粘度を維持するように働く。
【００１０】
酸化亜鉛、抗菌剤、またはプロテアーゼもしくは酵素インヒビターの粒子を含有したクリームまたは軟膏が知られている。これら組成物は伝統的に水中油型または油中水型エマルジョンとして調製されてきた。これらのエマルジョンは、特に組成物が吸収性物品のようなビークルからデリバリーされるとき、おむつ当て皮膚の状態および／または外観を改善させる上でさほど有効ではない。吸収性芯エレメントは物品の表面から水相を引き抜いて、組成物によりもたらされる皮膚効果を減らしてしまう。加えて、油相は残されて、コアの吸収力を妨げることがある。典型的にはシリコーンまたは溶媒のような揮発性液体キャリアを含有した無水組成物も知られている。揮発性物質は皮膚に刺激またはヒリヒリ感を呈することがあり、これらの作用は皮膚が体滲出液への長期暴露のために既に損傷または傷害をうけているときには特に激しい。更に、揮発性物質からの蒸気は皮膚と皮膚近くに着用された吸収性物品との間に捕捉されて、更に刺激またはヒリヒリ感を強めることがある。例示のクリームまたは軟膏は、１９８５年１２月３日付でBuckinghamに発行されたＵＳ特許４，５５６，５６０、１９９２年２月２５日付でEnjolrasらに発行されたＵＳ特許５，０９１，１９３、１９９２年５月５日付でBenfordに発行されたＵＳ特許５，１１０，５９３、１９９４年１１月８日付でSibleyらに発行されたＵＳ特許５，３６２，４８８、および１９９７年４月８日付でKaletaらに発行されたＵＳ特許５，６１８，５２２で開示されている。
【００１１】
ＦＤＡモノグラフ記載スキンケア成分を含有した製品、例えばＡおよびＤＲ軟膏、VaselineＲワセリンゼリー、DestineＲおむつかぶれ用軟膏およびDaily CareＲ軟膏、Gold BondＲ薬用ベビーパウダー、AquaphorＲ治療軟膏、Baby MagicＲベビーローション、Johnson’s Ultra Sensitiveベビークリームが市販されている。これらの市販製品は、それらがクリームまたは軟膏であるという大きな欠点を有しており、即ちそれらは室温で流動性であるため、それらは吸収性物品の表面に定着できずに、物品の吸収力を損なってしまう。
【００１２】
固形または半固形組成物は、固化しうるキャリアまたは硬化剤（例えば、ワセリン、ロウ）を用いて作製しうることも知られている。例えば、１９９３年３月１６日付でPicherriに発行されたＵＳ特許５，１９４，２６１。Picherri文献は皮膚上でどろどろしてべたつくバリヤ層として機能する半固形物について開示している。軟膏はどろどろした粘着性の稠度を有している。追加のバリヤ層が軟膏を覆うように形成される。Picherri文献の大きな欠点は、軟膏およびバリヤ層のべたつきおよび閉塞性である。更に、それは本発明のスキンケア成分ばかりか、スキンケア成分を懸濁させて沈降を防ぐレオロジー剤も含有していない。１９９０年３月２７日付でClumらに発行されたＵＳ特許４，９１１，９３２。Clum文献は特定のイミダゾール誘導体および酸化亜鉛を含有した組成物について開示している。Clum文献は、皮膚への組成物の自然な移行（即ち、手による塗布を伴わない）も、組成物用のデリバリービークルも、組成物をうまく配してそれをデリバリービークルの皮膚接触表面上に定着させる方法も開示していない。
【００１３】
スキンケア組成物で処理または含浸された物品も知られている。例えば、１９７５年７月２９日付でBuchalterに発行されたＵＳ特許３，８９６，８０７は、水分の添加でクリームを形成するようなクリーム処方物の固形油相で含浸された物品について開示している。その文献により開示された物品で主要な欠点は、吸収性物品から皮膚への有益物質の移行が遅れて、体液が放出されたときのみ行われることである。加えて、その文献の組成物はスキンケア効果用のスキンケア成分ばかりか、それらを懸濁させてそれらの沈降を防ぐレオロジー剤も含有していない。１９９６年６月１１日付でHartungらに発行されたＵＳ特許５，５２５，３４６は、非イオン性乳化剤、ジメチコン、クエン酸ナトリウム／クエン酸緩衝系、アロエ・ベラ、保存剤および水からなる水中油型エマルジョンを有した吸収性物品について開示している。その文献で大きな欠点は、物品の吸収エレメントにより表面から水相が引き抜かれ、皮膚効果に関するエマルジョンの有効性を減少させて、物品の吸収力を損なうことである。双方ともRoeらに１９９７年７月１日付で発行されたＵＳ特許５，６４３，５８８および１９９７年６月３日付で発行されたＵＳ特許５，６３５，１９１、双方ともRoeに１９９７年３月４日付で発行されたＵＳ特許５，６０７，７６０および１９９７年３月１１日付で発行されたＵＳ特許５，６０９，５８７は、トップシートにローション組成物を配した使い捨て吸収性物品、皮膚軟化剤および定着剤を含有したローション組成物について開示している。その文献で大きな欠点は、その組成物が本発明のスキンケア成分ばかりか、それらを懸濁させて沈降を防ぐレオロジー剤も含有していないことである。McOskerらにより１９９８年３月１２日付で出願されたＵＳ特許出願０９／０４１，５０９、Rourkeらにより１９９８年３月１２日付で出願されたＵＳ特許出願０９／０４１，２３２およびRoeらにより１９９８年３月１２日付で出願されたＵＳ特許出願０９／０４１，２６６は、吸収性物品中に直接またはデリバリービークルを介して配合されるスキンケア成分について開示しており、そのスキンケア成分はニートでもまたは組成物でもよい。その文献で大きな欠点は、その組成物がスキンケア組成物を安定化させるレオロジー剤を含有せずに、加工／変換操作に適さないことである。
【００１４】
おむつの当てられた皮膚に特に有益なスキンケア成分を含有して、加工温度から室温までの温度範囲で望ましいレオロジープロファイルを有する、改良スキンケア組成物について必要性が残されている。特に、その組成物は加工温度で安定な加工しやすい懸濁物であり、それは冷却されると固形または半固形になる。更に、その組成物は基材表面上で冷却および定着されると固形または半固形になるが、それは体熱、通常の着用動作および／またはこすれ合いで接触する皮膚へ移行しやすい。
【００１５】
スキンケア成分が加工、輸送および貯蔵中に実質的に凝集、層状化および／または沈降せずに組成物中に懸濁されたままであるように、レオロジー剤でスキンケア組成物の粘度および弾性率を調整することが望まれる。
その組成物は冷却されると固形または半固形になり、組成物がそれに接する皮膚へ移行しやすいことも望ましい。
加えて、その組成物は吸収性物品のようなデリバリービークルを介して皮膚へ効率的かつ審美的に適用されることが望ましい。
吸収性物品の皮膚接触表面上に安定なスキンケア組成物を有する吸収性物品を製造するための方法を提供することが、更に望ましい。
【００１６】
【発明の要旨】
本発明は皮膚接触表面の少なくとも一部に安定なスキンケア組成物を配した吸収性物品に関する。スキンケア組成物は通常の接触、着用者の動作、および／または体熱により皮膚へ容易に移行しうる。スキンケア組成物は、皮膚へ移行すると皮膚へ皮膚効果をもたらす少なくとも１種のスキンケア成分、並びに凝集、層状化および／または沈降が最少で済むように組成物を安定化させる少なくとも１種のレオロジー剤を含有している。
【００１７】
組成物のレオロジー性を適切なレオロジー剤で調整して、連続またはバッチプロセスで吸収性物品の皮膚接触表面へ適用できるような、加工温度で実質的に安定な懸濁物を提供できることが判明した。適切な組成物は、典型的には、（０．２％の歪率、１０rad/secの振動数および７７℃の温度で測定すると）少なくとも約５dyne/cm2の弾性率を有している。冷却されたとき、組成物は固形または半固形になるため、それは実質的に非流動性であり、吸収性物品の皮膚接触表面で“拘束”されるが、それは接触、通常の着用者の動作および体熱により着用者の皮膚へ容易に移行しうる。
【００１８】
本発明は実質的に安定なスキンケア組成物を配した吸収性物品の製造方法にも関する。レオロジー剤は組成物の粘度を調整して、組成物を安定化させる。実質的に安定な組成物は、懸濁粒子が装置で沈積または蓄積することなく、加工装置のパイプ、スロットまたは他のエレメントを介して容易に輸送しうる。その組成物は定常状態、例えば保持タンクまたは貯蔵中でも実質的に安定なままである。更に、その組成物は粒子で加工装置の適用エレメントを詰まらせることなく基材の表面へ容易に適用することができる。加えて、安定なローション組成物は、全く一定濃度のスキンケア成分を基材表面へデリバリーして、その操業中に一定品質の製品を生産するように、連続またはバッチプロセスで基材表面へ適用することができる。
【００１９】
【発明の具体的な説明】
Ｉ．定義
ここで用いられている“含んでなる”という用語は、様々な構成材、成分またはステップが本発明を実施する上で併用しうることを意味している。そのため、“含む”という用語は“からなる”および“から本質的になる”というより限定的な用語を包含している。
【００２０】
ここで用いられている“スキンケア成分”という用語は、単独でまたはスキンケア組成物中へ配合して、対象の皮膚へ適用されたときに、外観、清潔さおよび魅力の面で実際のまたは知覚される変化のような皮膚効果を直接または間接的に発揮する物質または物質の混合物を意味する。
【００２１】
ここで用いられている、スキンケア成分または組成物の“有効量”という用語は、望ましい効果を有意または明確にもたらすか、または処置される症状を調整して、皮膚が外観上より清潔で魅力的もしくは全体的に良好にみえるようにするために十分多い量を意味している。有効量は、用いられる具体的な成分または組成物、望まれる予防または防止効果、処置される症状または障害のタイプ、処置される個人の年齢および身体条件、処置される症状の程度、処置の程度および期間などのファクターに応じて変わる。
【００２２】
ここで用いられている“皮膚科学上許容される”または“安全な”という用語は、一般人で毒性、刺激またはアレルギー反応のような副作用を過度に生じないほど（即ち、妥当な利益対リスク比で）少ないスキンケア組成物または成分の量を意味する。
【００２３】
ここで用いられているレオロジー剤の“活性化”という用語は、レオロジー剤が化学的または物理的変化をうけて、組成物のレオロジー性に変化をもたらすレオロジー構造を形成することを意味している。
【００２４】
ここで用いられている“レオロジー剤の有効量”という用語は、組成物が安定で加工しやすいように、組成物の望ましいレオロジー性をもたらす上で十分なレオロジー剤の量を意味している。
【００２５】
ここで用いられている“安定な組成物”または“安定な懸濁物”という用語は、その組成物または懸濁物がその融点以上のとき定常状態で少なくとも約２０分間にわたり目に見える層状化、相分離または沈降を示さないことを意味する。
【００２６】
ここで用いられている“実質的に無水”という用語は、スキンケア組成物またはキャリアが典型的には１０％以下の自由水、好ましくは５％以下の自由水、更に好ましくは１％以下の自由水、最も好ましくは０．５％以下の自由水を含有していることを意味する。
【００２７】
ここで用いられている“自由水”という用語は、本発明の組成物を製造する際に加えられる水を意味する。“結合水”という用語は、本発明の組成物を製造する上で他成分と混合される前に、ある成分／構成材に天然でみられる水を意味する。当業者であれば、諸成分が組成物中に混ぜられると、水はもはやその出所から区別しえないことをわかるであろう。
【００２８】
ここで用いられている“半固形”という用語は、組成物が擬塑性または塑性液体で典型的なレオロジーを有することを意味する。剪断が加えられないとき、その組成物は半固形物の外観を有するが、剪断速度が増すと流動しうる。理論に拘束されることなく、その組成物は主に固形成分を含有していながら、それは液体成分もいくらか含有していると考えられる。
【００２９】
ここで用いられている吸収性物品の“皮膚接触表面”または“着用者接触表面”という用語は、その吸収性物品が着用されているとやがて着用者の皮膚または体と接触しうる、物品構成材の１以上の表面のことである。皮膚または体接触表面にはトップシート、バックシート、トップシート下の二次層または吸収性芯、レッグカフ、ウエスト部分、サイドパネル、ライナーなどの部分があるが、それらに限定されない。
他の用語も初めに記載された箇所で定義されている。
ここで用いられているすべてのパーセンテージ、比率および割合は、別記されない限り重量による。
【００３０】
II．スキンケア組成物
スキンケア組成物は、吸収性物品下にある部分の皮膚外観および／または状態、またはおむつ皮膚炎をうけやすい他の状態を維持および／または改善するためものである。スキンケア組成物は、皮膚の水分過剰および体滲出液に含有された物質への皮膚暴露を避けうる防護的非閉塞機能（例えば、比較的液体不透過性だが、蒸気透過性のバリヤ）、吸収性物品が着用者の皮膚と接触する部分で皮膚刺激を減らせる擦過最少化機能を発揮するか、あるいはスキンケア効果を直接的または間接的にもたらす剤を含有していることが好ましい。例えば、直接効果とは発赤減少または抗炎症作用に関する。間接効果とは、尿または糞中における皮膚刺激物の除去または減少、または皮膚の過剰水分の減少に関する。スキンケア組成物は、鱗片化、水分過剰またはかゆみから皮膚状態を保護または改善する皮膚軟化剤または他のスキンケア成分を含有していることも好ましい。更に、スキンケア組成物は、鱗片化、乾燥または発疹のような慢性症状を有する敏感なまたは傷のある皮膚の擦過を最少に抑えるために、好ましくは滑らかで艶のある粗くない皮膚感を有している。
【００３１】
本発明の安定なスキンケア組成物は、皮膚軟化剤、場合により定着剤、少なくとも１種のスキンケア成分および少なくとも１種のレオロジー剤を含んだ、実質的に無水のオイルベースキャリアからなる。本発明のスキンケア成分は、実質的に無水のオイルベースキャリア中で、不溶性または部分的に可溶性の固形物であってもよい。ビタミンＡ、Ｄ、ＥおよびＫなどのような油溶性スキンケア成分も本発明の範囲内であると理解されている。スキンケア成分は、直接にまたは前分散物として、攪拌しながら組成物中へ配合される。
【００３２】
本発明のスキンケア組成物は次の特徴を有している：第一に、その組成物は吸収性物品のトップシートのような基材表面へ一定に適用されるように溶融形をとる安定な懸濁物にすべきであり、このように安定な液体組成物は過度に大きな（例えば、約１０００ミクロン以上の）凝集物を実質的に含まず、最少のブリッジングおよび分離／沈降効果および高い滑らか皮膚感をもたらす；第二に、その組成物は、基材表面でほとんど“移動”がなく、物品の吸収力にとり不都合な作用が最少に抑えられるように、室温（即ち、２０℃）で固形または半固形にすべきである；第三に、その組成物は接触、通常の着用動きおよび／または体熱により皮膚へ移行しやすい；第四に、その組成物は皮膚への移行を促せるように皮膚温度（即ち、３４〜３６℃）で塑性または流動性であることが好ましい。
【００３３】
本発明のスキンケア組成物は実質的に無水性である。その組成物の無水性は、高い相対湿度微環境へ長期にわたり曝された、既に敏感な皮膚の水分過剰を防止する。更に、組成物の無水性は、組成物を芯の方へ優先的に引き寄せて、芯の吸収力を損ない、トップシート表面および着用者の皮膚から組成物を引き離しておくような、高吸収性おむつ芯の吸上作用を防止する。
【００３４】
本発明を実施する上でスキンケア成分およびレオロジー剤を配合するために適した組成物は、１９９７年９月１０日付で各々出願されたＵＳ特許出願０８／９２６，５３２および０８／９２６，５３３；１９９７年３月４日付で発行されたＵＳ特許５，６０７，７６０；１９９７年３月１１日付で発行されたＵＳ特許５，６０９，５８７；１９９７年６月３日付で発行されたＵＳ特許５，６３５，１９１；および１９９７年７月１日付で発行されたＵＳ特許５，６４３，５８８で記載されており、それら各々の開示は参考のためここに組み込まれる。
【００３５】
本発明の一面は、スキンケア成分を懸濁させて安定な懸濁を維持するために、レオロジー剤を用いることである。レオロジー剤のないキャリアは典型的なニュートン流体特徴を示し、即ち分散された粒子は静置時にしばしばキャリアから凝集および分離してくる。この欠点は加工中に沈降およびブリッジング作用を招き、スキンケア組成物を基材表面へ一定に適用することを失敗させる。溶融相状態にある組成物のレオロジーは、塑性または擬塑性流体のようにふるまう上で有効な量のレオロジー剤により調整しうる。得られる組成物は、微分散されたスキンケア成分を有する安定な溶液または懸濁液である。安定化された組成物は凝集、層状化および／または沈降を実質的に起こさず、そのため溶融組成物は加工装置内を容易に流動して、基材表面へ一定に適用することができる。組成物の弾性率および見掛け粘度の双方は組成物の加工性に影響を与えるファクターであることがわかった。
【００３６】
理論に拘束されることなく、弾性率は組成物の安定性に関し、見掛け粘度は組成物の流動性に関すると考えられている。特に、弾性率は混合中に組成物へ加えられる（剪断または混合エネルギーのような）エネルギーの不完全な散逸に関する。組成物内に蓄えられた残留エネルギーは、粒子を懸濁させて、諸成分を混合状態にしておく、即ち組成物が安定化される上で役立つと考えられている。組成物の見掛け粘度は、基材表面の一体性毀損（例えば引裂き）および適用不安定性（即ち、基材表面への組成物の不均一または不連続適用）を招くほど高くすべきではないことも考えられる。
【００３７】
特に、レオロジー剤は、１０rad/secの振動数および０．２％の歪率下７７℃で測定されたときに、好ましくは組成物の弾性率を少なくとも約５dyne/cm2まで高める（ここで開示された試験法参照）。好ましくは、溶融組成物は約５〜約５０，０００dyne/cm2、更に好ましくは約１０〜約２５，０００dyne/cm2、更に一層好ましくは約５０〜約１０，０００dyne/cm2、最も好ましくは約１００〜約３０００dyne/cm2の弾性率を有している。レオロジー剤を含有した組成物の見掛け粘度は、同条件下で測定されたときに、約１〜約１００，０００センチポイズ、好ましくは約５〜約５０，０００センチポイズ、更に好ましくは約１０〜約５０００センチポイズの範囲内にすべきである。
【００３８】
以下で記載されているように、本発明で有用なスキンケア組成物は、それらが室温で物品の着用者接触表面上に比較的定着されて、皮膚へ容易に移行でき、極端な貯蔵条件下でもなお完全な液体ではないような、溶融プロファイルを有することが好ましい。好ましくは、組成物は接触、剪断、通常の着用者動作および／または体熱により皮膚へ容易に移行しうる。組成物は好ましくは物品の表面で実質的に定着されるため、望ましいスキンケア効果を付与するには比較的低レベルの組成物で済む。加えて、特別なバリヤまたはラッピング物質は本発明で有用な処理物品を包装する上で不要になる。
【００３９】
好ましい組成物は、室温、即ち２０℃で固形、または更に一般的には半固形である。室温で固形または半固形であるとき、好ましい組成物は、物品の望ましくない箇所へ有意な程度で流動および移動する傾向を有しないため、物品の吸収力への有意な障害を避けられる。これは、望ましい外観、防御またはコンディショニング効果を付与する上で、少ないスキンケア組成物で済むことを意味している。好ましくは、本発明の組成物は室温で約１．０×１０６〜約１．０×１０８センチポイズのゼロ剪断粘度を有している。更に好ましくは、ゼロ剪断粘度は約５．０×１０６〜約５．０×１０７センチポイズである。
【００４０】
好ましい組成物の定着性を高めるために、処方される組成物の粘度は、物品内で望ましくない箇所への実質的な流動を妨げるために必要なだけ高くすべきである。他方、粘度が高すぎると、皮膚への組成物の移行を妨げることがある。したがって、粘度が組成物を物品の表面に留めうるほど十分高いが、皮膚への移行を妨げるほどには高くないように、バランスがとられるべきである。加えて、組成物は好ましくは皮膚温度以上、更に好ましくは４５℃以上のような、“ストレス”のかかりうる貯蔵条件以上（例えば、アリゾナの倉庫、フロリダのカートランクなど）の最終融点を有している。特に、好ましい組成物は次の溶融プロファイルを有する：
0004637371.tif 000002
【００４１】
スキンケア成分
様々なスキンケア成分がスキンケア組成物中に配合されて、発赤の減少、皮膚外観および／または状態の改善、バリヤまたは保護層の形成、または体排泄物中における刺激物の減少のような様々な皮膚効果を発揮しうる。多種のスキンケア成分がキャリア中に配合されて、皮膚へ適用されうる。これらのスキンケア成分にはバリヤ物質（ワセリン）、スキンコンディショニング剤（オイル、ラノリン）、プロトン供与剤、プロテアーゼおよび／または酵素インヒビターおよび抗菌剤があるが、それらに限定されない。スキンケア組成物は保湿剤（グリセリン、ソルビトール）、ビタミン、アロエ・ベラのような皮膚鎮静化剤、または薬草、植物もしくは鉱物源からの他の成分、または酸化亜鉛のような多機能剤も含有してよい。
【００４２】
様々な局所有効成分が本発明の安定な組成物中に配合しうる。このようなスキンケア成分は、本発明に従い適用されたときに、吸収性物品下で閉塞された皮膚へ目に見える効果をもたらす。スキンケア成分は不溶性粒子として組成物全体へ均一に分散させることができる。一方、スキンケア成分は本発明の実質的に無水のキャリアへ溶解させてもよい。得られる組成物は実質的に安定（即ち、過度に大きな凝集、層状化および／または沈降に抵抗性）であって、それを皮膚へ容易に移行させうる固形または半固形粘稠性を室温で有しており、吸収性物品またはそのエレメントのようなデリバリービークルから皮膚への局所適用に適している。
【００４３】
安全で有効なスキンケア成分と思われる多くの物質は、ここで使用上論理にかなった物質である。このような物質には、米国食品医薬局（ＦＤＡ）のTentative Final Monograph on Skin Protectant Drug Products for Over-the Counter Human Use(21 C.F.R.§347)で記載されているようなカテゴリーＩおよびカテゴリーIII活性剤がある。以下で掲載されたモノグラフ記載活性剤のうちいくつかは、ここで規定されているような“皮膚軟化剤”であることがわかるであろう。カテゴリーＩ活性剤には、アラントイン、水酸化アルミニウムゲル、カラミン、カカオ脂、ジメチコン、タラ肝油（組合せ）、グリセリン、カオリン、ワセリン、ラノリン、鉱油、サメ肝油、白色ワセリン、タルク、局所用デンプン、酢酸亜鉛、炭酸亜鉛、酸化亜鉛などがある。カテゴリーIII活性剤には、現在のところ、生酵母細胞誘導体、アルジオキサ、酢酸アルミニウム、微孔質セルロース、コレカルシフェロール、コロイドオートミール、塩酸システイン、デクスパンテノール、ペルーバルサム油、タンパク質加水分解産物、ラセミメチオニン、重炭酸ナトリウム、ビタミンＡなどがある。これらのモノグラフ記載物質は、様々なメカニズムで皮膚保護、かゆみ防止、刺激防止のような様々な皮膚効果を発揮することが知られている。
【００４４】
本発明に適したスキンケア成分にはｐＨ調整剤またはプロトン供与剤、例えばｐＨ緩衝系、アンモニウム中和剤、有機酸、ポリマー酸、無機酸およびそれらの塩；抗菌剤；酵素インヒビター；プロテアーゼインヒビター；抗補酵素；キレート化剤；および抗体もあるが、それらに限定されない。プロトン供与剤の一部非制限例は、１９９８年３月１２日付で出願されたMcOskerらによるＵＳ出願０９／０４１，５０９で記載されている。
【００４５】
プロテアーゼインヒビターは２つの一般種：プロテイナーゼおよびペプチダーゼに分類される。プロテイナーゼはタンパク質の特定の内部ペプチド結合で作用し、ペプチダーゼはタンパク質の末端で遊離アミノまたはカルボキシル基に隣接したペプチド結合で作用して、タンパク質をその外側から開裂させる。本発明で使用に適したプロテアーゼインヒビターには、セリンプロテアーゼ、メタロプロテアーゼ、システインプロテアーゼおよびアスパルチルプロテアーゼのようなプロテイナーゼ、並びにカルボキシペプチダーゼ、ジペプチダーゼおよびアミノペプチダーゼのようなペプチダーゼがあるが、それらに限定されない。このようなプロテアーゼインヒビターの一部非制限例は、１９９８年３月１２日付で出願されたRourkeらによるＵＳ出願０９／０４１，２３２、１９９２年２月２５日付でEnjolrasらに発行されたＵＳ特許５，０９１，１９３および１９８５年１２月３日付でBuckinghamに発行されたＵＳ特許４，５５６，５６０で記載されている。
【００４６】
酵素インヒビターは、様々な種類のプロテアーゼの特異的な酵素活性を阻害するようにデザインされている。本発明で特に有用なものは、糞中に常在するタンパク質分解および脂肪分解酵素、例えばリパーゼ、エステラーゼ、ジエステラーゼ、ウレアーゼ、アミラーゼ、エラスターゼ、ヌクレアーゼと相互作用するインヒビターである。本発明で使用に適した酵素インヒビターには、特定酵素の金属補因子と結合するキレート化剤、特定の酵素に対する抗体、トリプシン、キモトリプシン、アミノペプチダーゼおよびエラスターゼ、セリン、システイン、リパーゼ、胆汁酸塩（リパーゼの活性を高める補酵素として作用する）、アミラーゼおよび／またはウレアーゼのような、好ましくはタンパク質分解タイプの、様々な酵素または補酵素に対する酵素インヒビターがあるが、それらに限定されない。酵素活性を有効に減少または妨げることが知られた他の酵素インヒビターも、本発明の範囲内に属すると考えられている。このような酵素インヒビターの一部非制限例は、双方とも１９９８年３月１２日付で出願された、RoeらによるＵＳ出願０９／０４１，２６６およびUnderinerらによるＵＳ出願０９／０４１，１９６、１９９４年１２月２７日付でImakiらに発行されたＵＳ特許５，３７６，６５５、１９９２年２月２５日付でEnjolrasらに発行されたＵＳ特許５，０９１，１９３、１９７６年２月３日付でKraskinに発行されたＵＳ特許３，９３５，８６２、１９９５年４月２５日付でPolakらに発行されたＵＳ特許５，４０９，９０３、１９８５年１２月３日付でBuckinghamに発行されたＵＳ特許４，５５６，５６０、双方ともPolumboらにより１９９７年１１月２６日付で出願された特許出願ＥＰ９７／１２０，６９９およびＥＰ９７／１２０，７００で記載されており、すべて参考のためここに組み込まれる。
【００４７】
本発明におけるスキンケア成分には、好ましくは次のうち少なくとも１種を含めるべきである：酸化亜鉛、タルク、デンプン、アラントイン、ヘキサミジン、その塩および誘導体、ヘキサミジンジイセチオネートおよびその塩、トリアセチン、フィチン酸、エチレンジアミン四酢酸（ＥＤＴＡ）および塩酸４‐（２‐アミノエチル）ベンゼンスルホニルフルオリド、キトサンおよびそれらの混合物。
【００４８】
通常、安全有効量のスキンケア成分が組成物中に配合される。本発明に適したスキンケア組成物は約０．００１〜約７０重量％、好ましくは約０．０１〜約４５％、更に好ましくは約０．１〜約２５％、最も好ましくは約０．１〜約１０％の濃度でスキンケア成分を含有してよい。スキンケア成分は単独でまたはスキンケア成分の混合物として“カクテル”で用いられる。本発明で用いうるスキンケア成分の多様性のために、各スキンケア成分の有効濃度は当業者に知られているように個別に決めるべきである。
【００４９】
諸成分が組成物に不溶性であるとき、諸成分の平均粒径は、実質的に凝集、層状化および／または沈降せずに組成物中に粒子を懸濁させる上で、重要な役割を果たす。粒子は過度に大きな凝集物を実質的に含むべきでなく、即ち１０００ミクロン以上の粒子の量はごくわずかにする。スキンケア成分の平均粒径は、好ましくは約１０００ミクロン以下、更に好ましくは約１００ミクロン以下、最も好ましくは約５０ミクロン以下にすべきである。
【００５０】
ニート形の固形粒子は静電気、官能基間の相互作用などにより結合された集合物または凝集物を形成しがちであることが、通常知られている。粒子を分散させ、沈降作用を減らして、皮膚効果を有効に発揮させるためには、集合物を崩壊させておくことが大抵必要である。崩壊および分散は、粉砕または微粉砕、攪拌しながら組成物中への配合、分散混合物中への前分散、キャリア中への前溶解、または当業者に知られた他の方法により行える。
【００５１】
前分散混合物は、好ましくは分散流体、および場合により湿潤剤からなる。湿潤剤は、典型的には、成分粒子の表面にある官能基と相互作用する親水性末端、および本組成物のオイルベースキャリアと適合する親油性末端を有した界面活性剤である。理論に拘束されることなく、湿潤剤は、（剪断、攪拌のような）外力を加えると、組成物中でスキンケア成分の集合物の崩壊と粒状成分の混合または分散を促すと考えられている。親水性‐親油性界面活性剤タイプ物質の湿潤剤は、粒状成分と実質的に無水のキャリアとの間の界面を架橋することも考えられている。分散流体は、粒子を前分散させるための希釈剤および／または湿潤剤として働くことも考えられる。加えて、分散流体は本発明の実質的に無水で油性の組成物と混和性であることが好ましい。分散流体の非制限例には、鉱油、ジメチコンおよび他のシリコーン、エステル、好ましくはＣ１‐Ｃ２２アルコールとＣ１‐Ｃ２２酸との縮合産物がある。前分散物は、好ましくは固形分５０〜９９重量％、更に好ましくは固形分６０〜９０重量％、最も好ましくは固形分７０〜８０重量％の範囲で、高い固形または粒子分を有している。当業界で知られた様々な粉砕および／または微粉砕は、粒径を細かくして粒子を分散させるために、前分散プロセスで時々用いられる。
【００５２】
好ましい態様において、その成分は、本発明の油性で実質的に無水のキャリアへ、不溶性粒子として分散された酸化亜鉛である。更に好ましくは、酸化亜鉛粒子は前分散物として調製される。スキンケア組成物は約１〜約７０wt％、好ましくは約３〜約５０wt％、更に好ましくは約５〜約３０wt％の酸化亜鉛前分散物を含む。前分散物は、好ましくは約９０〜約５０wt％の酸化亜鉛、約１〜約５０wt％の分散流体および約０．１〜約１０wt％の湿潤剤を有している。好ましい態様は、上記のような約２２wt％の分散流体および約３wt％のポリグリセリルエステル湿潤剤に分散された約７５wt％の酸化亜鉛粒子からなる。適切な酸化亜鉛前分散物はKobo Products,Inc.,S.Plainfield,ＮＪから市販されている。本発明の酸化亜鉛粒子は、典型的には主粒子の凝集物からなる。凝集物の粒径は約０．１〜約３００ミクロンであり、平均凝集物サイズは約１．０ミクロンである。主粒子の平均粒径は約０．１２ミクロンである。典型的には、凝集物は約５〜約８個の主粒子からなる。
【００５３】
一方、疎水性調整剤は粒子の表面を“湿潤させる”ために酸化亜鉛粒子へ適用しうる。このプロセスでは、界面活性剤が高い温度または圧力下で酸化亜鉛粒子の表面へ実際に付着される。界面活性剤の親油性末端がそれらの表面から伸びた調整または“湿潤”酸化亜鉛粒子は、本組成物のオイルベースキャリアへ少なくとも部分的に混和しうるようになる。
【００５４】
レオロジー剤
レオロジー剤は、スキンケア活性粒子の比較的安定な懸濁物を維持しうるほどの調整を組成物のレオロジー性へ施すべきである。本組成物は諸成分の複合混合物であるため、レオロジー性の調整は複雑な相互作用およびメカニズム下で行われる。組成物の安定性および加工性は、溶融形にある組成物の弾性率および見掛け粘度と関連していることがわかった。
【００５５】
（約７７℃の溶融加工温度で測定すると）溶融状態にある組成物の弾性率は、組成物の安定性および加工性と相関していることがわかった。溶融状態で実質的に安定な加工しやすい組成物は、ここで開示された試験法に従い測定すると、少なくとも約５dyne/cm2の弾性率を有しているべきである。このような組成物の好ましい弾性率は、ここで開示された試験法に従い測定すると、約５〜約５０，０００dyne/cm2、好ましくは約１０〜約２５，０００dyne/cm2、更に好ましくは約５０〜約１０，０００dyne/cm2、最も好ましくは約１００〜約３０００dyne/cm2の範囲である。
【００５６】
組成物の見掛け粘度は、加工温度および“ストレスのかかる”貯蔵温度（または約４５℃）を含めた２つの温度で、０．１rad/secのときの測定値により特徴づけられる。溶融組成物の見掛け粘度は、好ましくは約１〜１００，０００センチポイズ、更に好ましくは約５〜約５０，０００センチポイズ、更に一層好ましくは約１０〜約５０００センチポイズである。
【００５７】
未調整（即ち、レオロジー剤の未添加）溶融組成物は実質的にニュートン流体特徴を示し、懸濁粒子の凝集、層状化および／または沈降を起こすことが知られている。結果的に、加工装置のブリッジングおよび目詰まりが生じうる。本発明によると、有効量の１種以上のレオロジー剤が、標準装置で通常安定な加工しやすい塑性または擬塑性流体へ溶融組成物のレオロジー性を変えるために、組成物へ加えられる。ここで用いられている“安定”という用語は、（スキンケア成分をキャリアへ分散／懸濁させた）組成物が、定常条件下において融点以上で、少なくとも約２０分間、好ましくは少なくとも約４時間、更に好ましくは少なくとも約８時間にわたり、目に見える層状化または有意な相分離を示さないことを意味する。
【００５８】
レオロジー剤は、本発明のオイルベースで実質的に無水のキャリアに不溶性または部分的に可溶性の粒子である。これらの粒状レオロジー剤は、典型的には、約１００ミクロン以下の平均粒径および１０重量％以下、好ましくは５％以下の組成物への溶解率を有する、微細で小さな粒子の形をとる。しかしながら、剤のタイプ、レオロジー効果をもたらすメカニズム、レオロジー剤の活性化または製法および他の同様なファクターに応じて、粒径は様々である。レオロジー剤はキャリア中で固形粒子でなくてよいことも認められている。即ち、レオロジー剤はキャリアと混和性または部分的に混和性である。レオロジー剤は定着剤または硬化剤としても機能しうるが認められている。レオロジー剤は、単独でまたは様々なレオロジー剤の混合物として、組成物中に配合しうることも認められている。
【００５９】
レオロジー剤の製法および／または活性化には次のステップ：当業界で知られた微粉砕、粉砕、攪拌または他の方法による凝集物の減少、当業界で知られた方法による活性化があるが、それらに限定されず、このようなステップは用いられるレオロジー剤のタイプに依存する。
【００６０】
一部のレオロジー剤は、室温（即ち約２０℃）で固形または半固形組成物を形成するために、硬化剤または定着剤としても機能しうる。即ち、レオロジー剤は、組成物が基材表面で十分に硬化および／または定着されて、組成物と接触するようになる皮膚へのその移行性を実質的に妨げることのないように、組成物へ加えてもよい。
【００６１】
レオロジー剤は、全組成物の約０．１〜約２５重量％、好ましくは全組成物の約０．２５〜約１０重量％、更に好ましくは約０．５〜約５重量％である。
【００６２】
タイプＡレオロジー剤
このタイプのレオロジー剤により調整されるスキンケア組成物は、典型的には温度に関して実質的に“フラットな”レオロジープロファイルを示す。特に、組成物の見掛け粘度は、実質的にほぼ加工温度から室温までの温度範囲にわたり変わらない。定着剤は室温で固形または半固形組成物を供するために加えてよい。
【００６３】
ここで使用上好ましいレオロジー剤は、表面処理されたまたは処理されていないヒュームドシリカである。未処理ヒュームドシリカはCabot Corporation,Tuscola,ＩＬにより商品名CAB-O-SIL M-5およびHS-5で市販されている。ここで使用上更に好ましいものは表面処理ヒュームドシリカである。ポリアルキルシロキサン処理ヒュームドシリカ、トリアルキルシラン化ヒュームドシリカ、ジアルキルシラン化ヒュームドシリカおよびそれらの混合物からなる群より選択されるヒュームドシリカが、更に一層好ましい。ポリジメチルシロキサン処理ヒュームドシリカ、トリメチルシラン化ヒュームドシリカ、ジメチルシラン化ヒュームドシリカおよびそれらの混合物からなる群より選択されるヒュームドシリカが、最も好ましい。
【００６４】
ヒュームドシリカおよび処理ヒュームドシリカは、約０．００１〜約１００ミクロン、好ましくは約０．００５〜約５０ミクロン、更に好ましくは約０．０１〜約１０ミクロンの容量平均粒径で、組成物中に凝集物として通常存在する。凝集構造が粒子間相互作用にとり最も効率的であり、懸濁物を増粘および安定化させるネットワーク構造を形成する。
【００６５】
ヒュームドシリカは典型的には活性なヒドロキシル基を有しており、ヒドロキシル基の特徴が変わるようにこれらのヒュームドシリカを処理することが望ましい。有用な処理法は、ポリアルキルシロキサン、好ましくはポリジメチルシロキサンのような無極性有機化合物でヒュームドシリカをコートして、ヒドロキシル基を低活性にすることである。ここで有用なポリジメチルシロキサン処理ヒュームドシリカは、Cabot Corporation,Tuscola,ＩＬにより商品名CAB-O-SIL TS-720で市販されている。もう１つの有用な処理法は、ヒュームドシリカのヒドロキシル基を、シラン化剤、例えばジメチルジクロロシランまたはヘキサメチルジシラザンと化学反応させることである。化学処理ヒュームドシリカでは、遊離ヒドロキシル基をシラン化剤の酸素‐ケイ素結合で置換させている。ここで有用なトリメチルシラン化ヒュームドシリカは商品名CAB-O-SIL TS-530で市販され、ここで有用なジメチルシラン化ヒュームドシリカは商品名CAB-O-SIL TS-610で市販されており、双方とも、Cabot Corporation,Tuscola,ＩＬによる。
【００６６】
好ましくはクレーを低極性にさせる様々な有機化合物で処理（好ましくはコート）された、ベントナイトおよびヘクトライトのようなオルガノクレーも、ここでは有用である。これらのオルガノクレーは、典型的には、脂肪鎖有機化合物を表面に結合させ、端部を自由にして水素結合を形成させたスメクタイトクレー板状物から作製される。脂肪鎖は実質的に無水のオイルベース組成物への分散性を付与し、板状物の端部対端部水素結合は懸濁物の安定性を付与する。非制限例として、クォータニウム‐１８ヘクトライト、ステアラルコニウムヘクトライト、クォータニウム‐１８ベントナイト、クォータニウム‐１８ベンザルコニウムベントナイト、ステアラルコニウムベントナイト、並びにそれらと鉱油、プロピレンカーボネート、イソプロピルミリステート、シクロメチコン、ヒマシ油、ラノリン、プロピルパラベンおよびＣ12-15アルキルベンゾエートからなる群より選択される少なくとも１種のメンバーとの混合物がある。これらのオルガノクレーまたは混合物は、Rheox,Inc.,Hightstown,ＮＪからBENTONEおよびBENTONE GELの一般商品名で市販されている。ここで使用上更に好ましいものは、BENTONE 38（クォータニウム‐１８ヘクトライト）、BENTONE 27（ステアラルコニウムヘクトライト）およびBENTONE 34（クォータニウム‐１８ベントナイト）である。
【００６７】
金属脂肪エステル石鹸もここでは有用である。アルミニウム、マグネシウム、亜鉛およびリチウムからなる群より選択される少なくとも１種の金属イオンと、１０〜２８炭素原子、好ましくは１２〜２２炭素原子の鎖長を有する少なくとも１種の脂肪酸エステル、例えばステアレート、ベヘネート、ラウレートおよびパルミテートとの組合せから作製された石鹸が、ここでは特に有用である。水酸化アルミニウム／マグネシウムステアレートがここでは使用上更に好ましく、これは交互な層としてステアリン酸と水酸化アルミニウム／マグネシウムとの複合化から形成される疎水性板状物である。板状物構造は油中で膨張して、組成物のレオロジー特徴を変化させる。特に、組成物の粘度は広い温度範囲にわたり全く一定である。これは本発明の温度範囲にわたり懸濁物の安定性を高められる。水酸化アルミニウム／マグネシウムステアレートはGiulini Corporation,Bound Brook,ＮＪからGILUGELの一般名で市販されている。
【００６８】
ケイ酸カルシウムおよび処理ケイ酸カルシウムもここでは有用である。一般形のケイ酸カルシウムにはＣａＳｉＯ３、ＣａＳｉＯ４（ＯＨ）２、ＣａＳｉＯ５（ＯＨ）４がある。ケイ酸カルシウムは様々な無極性有機化合物で処理して、その物質をより疎水性で反応しにくくさせることができる。市販されている有用なケイ酸カルシウムには次のものがある：HUBERSORB（Huber Corp.,Harve de Grace,ＭＤ）、MICRO-CEL（Celite Corp.,Denver,ＣＯ）。ケイ酸マグネシウムまたはケイ酸マグネシウム／アルミニウムのような他のシリケートもここでは有用である。
【００６９】
ここで有用な他の非制限例は、コレステロールおよび水素化レシチンのような天然源から誘導されたレオロジー剤、およびＤＥＡ（ジエタノールアミド）Oleth-3ホスフェートのようなアニオン性界面活性剤である。
【００７０】
タイプＢレオロジー剤
このタイプのレオロジー剤により調整されるスキンケア組成物は、典型的には実質的な温度依存性レオロジープロファイルを示す。特に、温度が加工温度から室温まで下がると、組成物の見掛け粘度は増加する。即ち、タイプＢレオロジー剤は定着剤のように機能する。室温で固形または半固形組成物を供するために追加の定着剤の含有は、タイプＢレオロジー剤が用いられるとき任意である。
【００７１】
THIXCIN R、THIXATROL STなどのようなヒマシ油の様々な有機誘導体が、ここでは有用である。これらヒマシ油誘導体の主成分はグリセリルトリス‐１２‐ヒドロキシステアレートである。THIXCIN GR、THIXATROL GST、THIXSEAL 1084などのようなヒマシ油の様々な無機誘導体もここでは有用である。これらすべてのヒマシ油誘導体またはその混合物は、Rheox,Inc.,Hightstown,ＮＪから市販されている。
【００７２】
ポリマーレオロジー剤もここでは有用である。非制限例は、ポリメタクリレートポリマー、場合により一般的架橋剤で架橋されたポリメタクリレートおよびスチレンコポリマー、ポリエチレン、ポリエチレンおよびアクリル酸または酢酸ビニルコポリマー、ポリイソブチレン、ポリ‐α‐オレフィン、スチレンおよび水素化エチレン、プロピレン、ブチレンの二または三成分コポリマー、および／またはNylon 66および疎水性セルロース誘導体である。
【００７３】
ノニオン性界面活性剤もここでは有用である。非制限例には、Ｃ８‐Ｃ２２アルコールから誘導されるポリエチレンオキシドエーテル、好ましくはセテス‐１０（ポリオキシエチレン１０セチルエーテル）、ステアレス‐２１（ポリオキシエチレンステアリルエーテル）およびそれらの混合物；好ましくはＣ８‐Ｃ２２アルキル鎖および好ましくは約６〜約２５のエチレンオキシドまたはプロピレンオキシド基を有する、エトキシル化またはプロポキシル化アルコールまたはアルキルフェノール；エチレングリコールのモノおよびジ脂肪酸エステル；脂肪酸モノグリセリド；ソルビタン；モノおよびジＣ８‐Ｃ２２脂肪酸；ポリオキシエチレンソルビタン；およびそれらの混合物がある。
【００７４】
カルナウバ、オゾケライト、蜜ロウ、カンデリラ、パラフィン、セレシン、エスパルト、アワリキュリ(ouricuri)、リゾワックス(rezowax)、イソパラフィン、シリコーンロウ、ポリエチレンロウおよび他の公知鉱ロウのようなロウも、ここでは有用である。加えて、微結晶ロウも有効なレオロジー剤である。好ましいロウは、Strahl and Pitsch Inc.,West Babylon,ＮＹ製のParaffin S.P.434のようなパラフィンロウである。
【００７５】
ここで有用な他の非制限例は、レオロジー‐温度プロファイルを特に考慮しなければ、ジエタノールアミド；メチルエチルアミド；ジアルキルアミノプロピオン酸のような両性界面活性剤；アルキルガラクトマンナン、ステアリン酸亜鉛、セスキオレイン酸ソルビタン、セチルヒドロキシエチルセルロースおよび他の修飾セルロースである。
【００７６】
皮膚軟化剤
皮膚外観および／または皮膚保護効果を発揮するようにデザインされたスキンケア組成物の場合、これらの組成物で有用な成分は１種以上の皮膚保護剤または皮膚軟化剤である。ここで用いられている“皮膚軟化剤”という用語は、濡れまたは刺激から保護して、皮膚を軟化、鎮静化、柔軟化、被覆、潤滑化、湿潤化、保護および／または浄化する物質を意味する；“保護剤”という用語は、有害または迷惑な刺激から損傷または露出した皮膚または粘膜表面を保護する物質を意味する。好ましい態様において、これらの皮膚軟化剤は室温、即ち２０℃で塑性または液体粘稠性を有する。
【００７７】
本発明で有用な代表的皮膚軟化剤には、石油ベースの皮膚軟化剤；スクロースエステル脂肪酸；ポリエチレングリコールおよびその誘導体；保湿剤；脂肪酸エステルタイプ；アルキルエトキシレートタイプ；脂肪酸エステルエトキシレート；脂肪アルコールタイプ；ポリシロキサンタイプ；プロピレングリコールおよびその誘導体；グリセリド、アセトグリセリドおよびＣ１２‐Ｃ２８脂肪酸のエトキシル化グリセリドを含めた、グリセリンおよびその誘導体；トリエチレングリコールおよびその誘導体；鯨ロウまたは他のロウ；脂肪酸；脂肪アルコールエーテル、特にステアリン酸のような脂肪鎖に１２〜２８の炭素原子を有するもの；プロポキシル化脂肪アルコール；ポリヒドロキシアルコールの他の脂肪エステル；ラノリンおよびその誘導体；カオリンおよびその誘導体；前記モノグラフ記載スキンケア剤のいずれか；またはこれら皮膚軟化剤の混合物があるが、それらに限定されない。適切な石油ベース皮膚軟化剤には、１６〜５０炭素原子の鎖長を有する炭化水素または炭化水素の混合物がある。これら鎖長を有する石油ベース炭化水素には、鉱油（“流動ワセリン”としても知られる）およびワセリン（“鉱ロウ”、“石油ゼリー”および“ミネラルゼリー”としても知られる）がある。鉱油とは１６〜２０炭素原子を有する炭化水素の低粘性混合物に通常関する。ワセリンとは１６〜３２炭素原子を有する炭化水素の高粘性混合物に通常関する。ワセリンおよび鉱油が本発明の組成物にとり特に好ましい皮膚軟化剤である。
【００７８】
適切な脂肪酸エステルタイプ皮膚軟化剤には、Ｃ１２‐Ｃ２８脂肪酸、好ましくはＣ１６‐Ｃ２２飽和脂肪酸、および短鎖（Ｃ１‐Ｃ８、好ましくはＣ１‐Ｃ３）一価アルコールから誘導されるものがある。このようなエステルの代表例には、パルミチン酸メチル、ステアリン酸メチル、ラウリン酸イソプロピル、ミリスチン酸イソプロピル、パルミチン酸イソプロピル、パルミチン酸エチルヘキシルおよびそれらの混合物がある。適切な脂肪酸エステル皮膚軟化剤は、長鎖脂肪アルコール（Ｃ１２‐Ｃ２８、好ましくはＣ１２‐Ｃ１６）および短鎖脂肪酸、例えば乳酸のエステル、例えば乳酸ラウリルおよび乳酸セチルから誘導してもよい。
【００７９】
適切なアルキルエトキシレートタイプ皮膚軟化剤には、約２〜約３０の平均エトキシル化度を有するＣ１２‐Ｃ２２脂肪アルコールエトキシレートがある。好ましくは、脂肪アルコールエトキシレート皮膚軟化剤は、約２〜約２３範囲の平均エトキシル化度を有する、ラウリル、セチルおよびステアリルエトキシレートおよびそれらの混合物からなる群より選択される。このようなアルキルエトキシレートの代表例には、ラウレス‐３（３の平均エトキシル化度を有するラウリルエトキシレート）、ラウレス‐２３（２３の平均エトキシル化度を有するラウリルエトキシレート）、セテス‐１０（１０の平均エトキシル化度を有するセチルアルコールエトキシレート）およびステアレス‐１０（１０の平均エトキシル化度を有するステアリルアルコールエトキシレート）がある。用いられるとき、これらのアルキルエトキシレート皮膚軟化剤は、約１：１〜約１：５、好ましくは約１：２〜約１：４のアルキルエトキシレート皮膚軟化剤対石油ベース皮膚軟化剤の重量比で、ワセリンのような石油ベース皮膚軟化剤と組み合わせて典型的に用いられる。
【００８０】
適切な脂肪アルコールタイプ皮膚軟化剤にはＣ１２‐Ｃ２２脂肪アルコール、好ましくはＣ１６‐Ｃ１８脂肪アルコールがある。代表例としてセチルアルコール、ステアリルアルコールおよびそれらの混合物がある。用いられるとき、これらの脂肪アルコール皮膚軟化剤は、約１：１〜約１：５、好ましくは約１：１〜約１：２の脂肪アルコール皮膚軟化剤対石油ベース皮膚軟化剤の重量比で、ワセリンのような石油ベース皮膚軟化剤と組み合わせて典型的に用いられる。
【００８１】
ここで使用に適した他のタイプの皮膚軟化剤にはポリシロキサン化合物がある。一般的に、本発明で使用に適したポリシロキサン物質には、下記構造のモノマーシロキサン単位を有したものがある：
【化１】
0004637371.tif 000003
上記式中、Ｒ１およびＲ２は、各々独立したシロキサンモノマー単位において、各々独立して水素またはいずれかのアルキル、アリール、アルケニル、アルカリール、アラルキル、シクロアルキル、ハロゲン化炭化水素または他の基である。このような基は置換されていても、または非置換でもよい。いずれか特定のモノマー単位におけるＲ１およびＲ２基は、次の隣接するモノマー単位の対応官能基と異なっていてよい。加えて、ポリシロキサンは直鎖、分岐鎖でも、または環式構造を有してもよい。加えて、基Ｒ１およびＲ２は独立してシロキサン、ポリシロキサン、シランおよびポリシランのような他の含ケイ素官能基でもよいが、それらに限定されない。基Ｒ１およびＲ２は、例えばアルコール、カルボン酸、フェニルおよびアミン官能基を含めて様々な有機官能基を有してよい。
【００８２】
例示のアルキル基はメチル、エチル、プロピル、ブチル、ペンチル、ヘキシル、オクチル、デシル、オクタデシルなどである。例示のアルケニル基はビニル、アリルなどである。例示のアリール基はフェニル、ジフェニル、ナフチルなどである。例示のアリカリール基はトリル、キシリル、エチルフェニルなどである。例示のアリール基はベンジル、α‐フェニルエチル、β‐フェニルエチル、α‐フェニルブチルなどである。例示のシクロアルキル基はシクロブチル、シクロペンチル、シクロヘキシルなどである。例示のハロゲン化炭化水素基はクロロメチル、ブロモエチル、テトラフルオロエチル、フルオロエチル、トリフルオロエチル、トリフルオロトリル、ヘキサフルオロキシリルなどである。
【００８３】
ポリシロキサンが流動性であるか、または吸収性物品への適用向けに流動性になしうるかぎり、本発明で有用なポリシロキサンの粘度はポリシロキサンの粘度が一般的に様々であるように広く変わる。これは５センチストークス（３７℃でガラス粘度計により測定したとき）の低い粘度から約２０，０００，０００センチストークスまでおよぶが、それに限定されない。好ましくは、ポリシロキサンは３７℃で約５〜約５０００センチストークス、更に好ましくは約５〜約２０００センチストークス、最も好ましくは約１００〜約１０００センチストークスの粘度を有する。自ら耐流動性である高粘度ポリシロキサンは、例えば、界面活性剤でポリシロキサンを乳化させるか、または例示のみの目的で挙げるとヘキサンのような溶媒の助けで溶液としてポリシロキサンを供するような方法により、吸収性物品へ有効に付着させることができる。吸収性物品へポリシロキサン皮膚軟化剤を適用するための具体的方法は、後で詳細に記載されている。
【００８４】
本発明で使用上好ましいポリシロキサン化合物は、参考のためここに組み込まれる、１９９１年１０月２２日付で発行されたＵＳ特許５，０５９，２８２（Ampulskiら）で開示されている。本発明の組成物で皮膚軟化剤として使用上特に好ましいポリシロキサン化合物には、フェニル官能性ポリメチルシロキサン化合物（例えば、Dow Corning 556 Cosmetic-Grade Fluid：ポリフェニルメチルシロキサン）およびセチルまたはステアリル官能性ジメチコン、例えば各々Dow 2502およびDow 2503ポリシロキサン流体がある。フェニル官能またはアルキル基によるこのような置換に加えて、有効な置換はアミノ、カルボキシル、ヒドロキシル、エーテル、ポリエーテル、アルデヒド、ケトン、アミド、エステルおよびチオール基で行ってもよい。これらの有効な置換基の中では、フェニル、アミノ、アルキル、カルボキシルおよびヒドロキシル基からなる群が他よりも好ましい；フェニル官能基が最も好ましい。
【００８５】
適切な脂肪エステルタイプ皮膚軟化剤には、１９９７年３月１１日付でRoeに発行されたＵＳ特許５，６０９，５８７で記載されているようなポリオールポリエステルもあり、その開示は参考のためここに組み込まれる。例示のポリオールには、ペンタエリトリトールのような多価化合物；ラフィノース、マルトデキストロース、ガラクトース、スクロース、グルコース、キシロース、フルクトース、マルトース、ラクトース、マンノースおよびエリトロースのような糖類；エリトリトール、キシリトール、マリトール、マンニトールおよびソルビトールのような糖アルコール類があるが、それらに限定されない。このようなポリオールは少なくとも２つの炭素原子で３０以内の炭素原子を有する脂肪酸および／または他の有機基でエステル化されている。ポリオールのすべてのヒドロキシル基がエステル化される必要はないが、本発明の好ましいポリオールポリエステル皮膚軟化剤では実質的にすべて（例えば、少なくとも約８５％）のヒドロキシル基をエステル化させている。スクロースポリコットネート、スクロースポリソイエートおよびスクロースポリベヘネートのようなスクロースポリオールポリエステルが特に好ましい。このようなポリオールポリエステルの混合物も本発明に適した皮膚軟化剤である。
【００８６】
適切な保湿剤にはグリセリン、プロピレングリコール、ソルビトール、トリヒドロキシステアリンなどがある。
【００８７】
存在するとき、組成物中に含有させうる皮膚軟化剤の量は、用いられる具体的な皮膚軟化剤、望まれる皮膚効果、組成物中他の成分などのファクターを含めて、様々なファクターに依存する。組成物は総重量で０〜９９．９％の皮膚軟化剤を含む。好ましくは、組成物は約１０〜約９５重量％、更に好ましくは約２０〜約８０％、最も好ましくは約４０〜約７５％の皮膚軟化剤を含む。
【００８８】
定着剤
スキンケアの任意成分は、処理物品中または上で望ましい箇所に組成物を定着させうる剤である。組成物の一部態様では２０℃で塑性または液体粘稠性を有するため、それらは適度の剪断へ付されたときでも流動または移動しやすい。特に溶融または融解状態で吸収性物品の着用者接触表面または他の箇所へ適用されたときには、組成物は主に処理部分中または上に留まらない。代わりに、組成物は物品の望ましくない部分へ移動および流動して、物品の吸収力に悪影響を与えやすい。
【００８９】
特に、組成物が物品の内部へ移動すると、それは物品の吸収力に望ましくない影響をおよぼしうる。それは、かなり多くの組成物が望ましい皮膚すべすべ効果をもたらすために物品へ適用されねばならないことも意味している。組成物の付着レベル増加はコストを増すのみならず、物品コアの吸収力におよぼす望ましくない作用および処理物品の加工／カバーリング中に組成物の望ましくない移動も増大させる。
【００９０】
定着剤は、組成物が適用された物品の表面または部分に主に組成物を定着させておくことで、移動または流動しやすい組成物のこの傾向を妨げる。これは、定着剤が組成物の融点および／または粘度を高めるという事実に一部起因していると考えられる。定着剤は好ましくはキャリア／皮膚軟化剤と混和性である（または適切な乳化剤の助けでキャリア／皮膚軟化剤に溶解されるか、またはそこに分散される）ため、それは物品の着用者接触表面で、またはそれが適用された部分で組成物を捕捉している。
【００９１】
キャリア／皮膚軟化剤と混和性である（またはそれに溶解される）ことに加えて、定着剤は室温で固形または半固形の組成物を供するような溶融プロファイルを有することが好ましい。この点において、好ましい定着剤は少なくとも約３５℃の融点を有する。これは定着剤自体が移動または流動する傾向を有さなくなる程度である。好ましい定着剤は少なくとも約４０℃の融点を有する。典型的には、定着剤は約５０〜約１５０℃の融点を有する。
【００９２】
着用者接触表面で、または組成物が適用された物品の部分で組成物の成分を“微視的に”拘束または捕捉することも有利である。これは、微結晶を形成するかまたは高い結晶性を有しやすい定着剤を用いることにより達成しうる。冷却すると、定着剤は多くの種または核を形成し、そこから結晶構造が成長して、他の成分を捕捉する。加えて、ブロワー、ファン、コールドロールなどによる処理物品の外部冷却は、定着剤の結晶化を加速しうる。
【００９３】
利用されるとき、スキンケア組成物のプロテアーゼ阻害性がここで記載された皮膚効果を発揮するかぎり、ここで有用な定着剤はいくつかの剤のうちいずれから選択してもよい。好ましい定着剤は、Ｃ１４‐Ｃ６０脂肪アルコール、Ｃ１４‐Ｃ６０脂肪酸および約２〜約１１０の平均エトキシル化度を有するＣ１４‐Ｃ６０脂肪アルコールエトキシレートおよびそれらの混合物からなる群より選択されるものである。脂肪アルコール、脂肪酸または脂肪酸エステルのアルキル鎖は典型的にはＣ１４‐Ｃ６０、好ましくはＣ１６‐Ｃ５０、更に好ましくはＣ２０‐Ｃ４０である。アルキル鎖は直鎖、分岐でも、飽和または不飽和でもよく、直鎖が好ましい構造である。高融点結晶物質の方が定着剤として有効である。これら物質の長い直鎖構造は処理吸収性物品で固定化を加速して、組成物をより速やかに“拘束”すると考えられている。平均エトキシル化度は好ましくは約２〜約４０、更に好ましくは約５〜約２０である。一態様において、定着剤にはＣ１６‐Ｃ１８脂肪アルコール、例えばセチルアルコール、ステアリルアルコール、ベヘニルアルコールおよびそれらの混合物がある。セチルアルコールおよびステアリルアルコールの混合物が特に好ましい。別の態様において、定着剤にはＣ１６‐Ｃ１８脂肪酸があり、最も好ましくはパルミチン酸、ステアリン酸およびそれらの混合物からなる群より選択される。パルミチン酸およびステアリン酸の混合物が特に好ましい。更に他の態様では、約２〜約３２、好ましくは約５〜約２０の平均エトキシル化度を有するＣ１６‐Ｃ１８脂肪アルコールエトキシレートのような定着剤を用いる。
【００９４】
ここで用いうる他のタイプの定着剤には、ポリヒドロキシ脂肪酸エステル、ポリヒドロキシ脂肪酸アミドおよびそれらの混合物がある。好ましいエステルおよびアミドはポリヒドロキシ部分に３以上の遊離ヒドロキシ基を有しており、典型的には性質上ノニオン性である。組成物が適用された物品を用いた者で生じうる皮膚感受性のために、これらのエステルおよびアミドも皮膚に対して比較的マイルドで無刺激性にすべきである。
【００９５】
本発明で使用に適したポリヒドロキシ脂肪酸エステルは下記式を有している：
【化２】
0004637371.tif 000004
上記式中ＲはＣ５‐Ｃ３１ヒドロカルビル基、好ましくは直鎖Ｃ７‐Ｃ１９アルキルまたはアルケニル、更に好ましくは直鎖Ｃ９‐Ｃ１７アルキルまたはアルケニル、最も好ましくは直鎖Ｃ１１‐Ｃ１７アルキルまたはアルケニル、またはそれらの混合物である；Ｙは少なくとも２つの遊離ヒドロキシルを直接結合させたヒドロカルビル鎖を有するポリヒドロキシヒドロカルビル部分である；ｎは少なくとも１である。適切なＹ基は、グリセロール、ペンタエリトリトールのようなポリオール類；ラフィノース、マルトデキストロース、ガラクトース、スクロース、グルコース、キシロース、フルクトース、マルトース、ラクトース、マンノースおよびエリトロースのような糖類；エリトリトール、キシリトール、マリトール、マンニトールおよびソルビトールのような糖アルコール類；ソルビタンのような糖アルコール類の無水物から誘導されうる。
【００９６】
本発明で使用に適したポリヒドロキシ脂肪酸エステルの１種は、あるソルビタンエステル、好ましくはＣ１６‐Ｃ２２飽和脂肪酸のソルビタンエステルからなる。それらが典型的に製造される手法のために、これらのソルビタンエステルは通常モノ、ジ、トリエステルなどの混合物からなる。適切なソルビタンエステルの代表例にはソルビタンパルミテート（例えば、ＳＰＡＮ４０）、ソルビタンステアレート（例えば、ＳＰＡＮ６０）およびソルビタンベヘネートがあり、これらソルビタンエステルのモノ、ジおよびトリエステルバージョンのうち１種以上、例えばソルビタンモノ、ジおよびトリパルミテート、ソルビタンモノ、ジおよびトリステアレート、ソルビタンモノ、ジおよびトリベヘネート並びに混合獣脂脂肪酸ソルビタンモノ、ジおよびトリエステルからなる。ソルビタンパルミテートとソルビタンステアレートとのように、異なるソルビタンエステルの混合物も用いてよい。特に好ましいソルビタンエステルは、典型的にはＳＰＡＮ６０のようなモノ、ジおよびトリエステル（＋一部テトラエステル）の混合物としてのソルビタンステアレート、およびLonza,Inc.から商品名GLYCOMUL-Sで販売されているソルビタンステアレートである。これらのソルビタンエステルは典型的にはモノ、ジおよびトリエステル＋一部テトラエステルの混合物からなるが、モノおよびジエステルが通常これらの混合物中で主要な種類である。
【００９７】
本発明で使用に適したポリヒドロキシ脂肪酸エステルの別な種は、あるグリセリルモノエステル、好ましくはＣ１６‐Ｃ２２飽和脂肪酸のグリセリルモノエステル、例えばグリセリルモノステアレート、グリセリルモノパルミテートおよびグリセリルモノベヘネートからなる。ソルビタンエステルと同様に、グリセリルモノエステル混合物も典型的には一部ジおよびトリエステルを含有している。しかしながら、このような混合物は本発明で有用なグリセリルモノエステル種を主に含有しているべきである。
【００９８】
本発明で使用に適したポリヒドロキシ脂肪酸エステルの別な種は、あるスクロース脂肪酸エステル、好ましくはスクロースのＣ１２‐Ｃ２２飽和脂肪酸エステルからなる。スクロースモノエステルおよびジエステルが特に好ましく、スクロースモノおよびジステアレート、スクロースモノおよびジラウレートがある。
【００９９】
本発明で使用に適したポリヒドロキシ脂肪酸アミドは下記式を有している：
【化３】
0004637371.tif 000005
上記式中Ｒ１はＨ、Ｃ１‐Ｃ４ヒドロカルビル、２‐ヒドロキシエチル、２‐ヒドロキシプロピル、メトキシエチル、メトキシプロピルまたはそれらの混合物、好ましくはＣ１‐Ｃ４アルキル、メトキシエチルまたはメトキシプロピル、更に好ましくはＣ１またはＣ２アルキルまたはメトキシプロピル、最も好ましくはＣ１アルキル（即ち、メチル）またはメトキシプロピルである；Ｒ２はＣ５‐Ｃ３１ヒドロカルビル基、好ましくは直鎖Ｃ７‐Ｃ１９アルキルまたはアルケニル、更に好ましくは直鎖Ｃ９‐Ｃ１７アルキルまたはアルケニル、最も好ましくは直鎖Ｃ１１‐Ｃ１７アルキルまたはアルケニル、またはそれらの混合物である；Ｚは少なくとも３つのヒドロキシルを直接結合させたヒドロカルビル直鎖を有するポリヒドロキシヒドロカルビル部分である。これらのポリヒドロキシ脂肪酸アミドおよびそれらの製法について開示した、（参考のためここに組み込まれる）１９９２年１２月２９日付で発行されたHonsaのＵＳ特許５，１７４，９２７参照。
【０１００】
Ｚ部分は好ましくは還元アミノ化反応で還元糖から誘導され、最も好ましくはグリシチルである。適切な還元糖にはグルコース、フルクトース、マルトース、ラクトース、ガラクトース、マンノースおよびキシロースがある。高デキストロースコーンシロップ、高フルクトースコーンシロップおよび高マルトースコーンシロップ、並びに上記された個別の糖も利用しうる。これらのコーンシロップはＺ部分について糖成分の混合物をもたらす。
【０１０１】
Ｚ部分は好ましくは‐ＣＨ２‐（ＣＨＯＨ）ｎ‐ＣＨ２ＯＨ、‐ＣＨ（ＣＨ２ＯＨ）‐〔（ＣＨＯＨ）ｎ−１〕‐ＣＨ２ＯＨ、‐ＣＨ２ＯＨ‐ＣＨ２‐（ＣＨＯＨ）２（ＣＨＯＲ３）（ＣＨＯＨ）‐ＣＨ２ＯＨからなる群より選択され、ここでｎは３〜５の整数であり、Ｒ３はＨまたは環式もしくは脂肪族単糖である。最も好ましいものは、ｎが４であるグリシチル、特に‐ＣＨ２‐（ＣＨＯＨ）４‐ＣＨ２ＯＨである。
【０１０２】
上記式において、Ｒ１には例えばＮ‐メチル、Ｎ‐エチル、Ｎ‐プロピル、Ｎ‐イソプロピル、Ｎ‐ブチル、Ｎ‐２‐ヒドロキシエチル、Ｎ‐メトキシプロピルまたはＮ‐２‐ヒドロキシプロピルがある。Ｒ２は、例えばコカミド、ステアラミド、オレアミド、ラウラミド、ミリストアミド、カプリカミド、パルミトアミド、タローアミドなどをもたらすように選択される。Ｚ部分には１‐デオキシグルシチル、２‐デオキシフルクチチル、１‐デオキシマルチチル、１‐デオキシラクチチル、１‐デオキシガラクチチル、１‐デオキシマンニチル、１‐デオキシマルトトリオチチルなどがある。
【０１０３】
最も好ましいポリヒドロキシ脂肪酸アミドは下記一般式を有している：
【化４】
0004637371.tif 000006
上記式中Ｒ１はメチルまたはメトキシプロピルである；Ｒ２はＣ１１‐Ｃ１７直鎖アルキルまたはアルケニル基である。これらにはＮ‐ラウリル‐Ｎ‐メチルグルカミド、Ｎ‐ラウリル‐Ｎ‐メトキシプロピルグルカミド、Ｎ‐ココイル‐Ｎ‐メチルグルカミド、Ｎ‐ココイル‐Ｎ‐メトキシプロピルグルカミド、Ｎ‐パルミチル‐Ｎ‐メトキシプロピルグルカミド、Ｎ‐タローイル‐Ｎ‐メチルグルカミドまたはＮ‐タローイル‐Ｎ‐メトキシプロピルグルカミドがある。
【０１０４】
前記のように、一部の定着剤は皮膚軟化剤への溶解用に乳化剤を要する。これは、少なくとも約７の親水性親油性バランス（ＨＬＢ）値を有するＮ‐アルキル‐Ｎ‐メトキシプロピルグルカミドのような、特にあるグルカミドの場合である。適切な乳化剤には、典型的には、約７以下のＨＬＢ値を有するものがある。この点では、約４．９以下のＨＬＢ値を有するソルビタンステアレートのような前記ソルビタンエステルが、ワセリンへこれらのグルカミド定着剤を溶解させる上で有用とわかった。他の適切な乳化剤には、ステアレス‐２（式ＣＨ３（ＣＨ２）１７（ＯＣＨ２ＣＨ２）ｎＯＨに相当するステアリルアルコールのポリエチレングリコールエーテル；ｎは２の平均値を有する）、ソルビタントリステアレート、イソソルビドラウレートおよびグリセリルモノステアレートがある。乳化剤は、実質的に均質な混合物が得られるように、皮膚軟化剤へ定着剤を溶解させるために十分な量で含有させることができる。例えば、通常単相混合物に溶融しないＮ‐ココイル‐Ｎ‐メチルグルカミドおよびワセリンの約１：１混合物は、乳化剤としてステアレス‐２およびソルビタントリステアレートの１：１混合物２０％の添加で単相混合物に溶融する。
【０１０５】
単独でまたは上記の定着剤と組み合わせて定着剤として用いうる他タイプの成分には、カルナウバ、オゾケライト、蜜ロウ、カンデリラ、パラフィン、セレシン、エスパルト、アワリキュリ、リゾワックス、イソパラフィンおよび他の公知鉱ロウのようなロウがある。これら物質の高融点は、物品の望ましい表面または箇所へ組成物を定着させる上で役立つ。加えて、微結晶ロウも有効な定着剤である。微結晶ロウはスキンケア組成物内に低分子量炭化水素を“拘束”する上で役立つ。好ましくは、ロウはパラフィンロウである。特に好ましい別な定着剤の例は、Strahl and Pitsch Inc.,West Babylon,ＮＹ製のParaffin S.P.434のようなパラフィンロウである。ポリエチレンから誘導されたもののような合成ロウもここでは用いてよい。
【０１０６】
組成物のレオロジー性および熱的性質（特に、融点）に応じて、定着剤の量は変わる。存在するとき、組成物は典型的には約５〜約９５wt％、好ましくは約５〜約５０wt％、最も好ましくは約１０〜約４０wt％の定着剤を含む。
【０１０７】
任意の親水性界面活性剤
物品トップシートの少なくとも一部は、トップシートで液体（例えば尿）の速やかな移動を促すために、親水性物質から作製されることが、高度に望ましい。同様に、液体がトップシートで速やかに移動することを確保しうるほど、組成物は十分に湿潤性であることが望ましい。一方、疎水性スキンケア組成物も利用してよいが、但しそれらはトップシートの流体処理性が適度に維持されるように適用されねばならない（例えば、下記のように、トップシートへ組成物の不均一な適用がこの目的を果たすための一手段である）。これは、体滲出液がトップシートから吸引されて吸収性芯に吸収されるよりもむしろ組成物処理トップシートから漏れ出る、という可能性を減らす。親水性組成物が望まれる場合には、組成物で用いられる具体的成分に応じて、親水性界面活性剤（または親水性界面活性剤の混合物）が湿潤性を改善するために必要とされることもあれば、またはそうでないこともある。例えば、少なくとも約７のＨＬＢ値を有するＮ‐ココイル‐Ｎ‐メトキシプロピルグルカミドのような一部の定着剤は、親水性界面活性剤の添加がなくとも十分に湿潤性である。約７以下のＨＬＢ値を有するＣ１６‐Ｃ１８脂肪アルコールのような他の定着剤は、組成物が物品トップシートへ適用されるとき、湿潤性を改善するために、親水性界面活性剤の添加を要することがある。同様に、ワセリンのような疎水性皮膚軟化剤も、親水性組成物が望まれるならば、親水性界面活性剤の添加を要することがある。もちろん、湿潤性に関する事項は、考慮される着用者接触表面が物品のトップシート以外であるとき、またはトップシートの流体処理性が他の手段（例えば、不均一な適用）で適度に維持されるときのファクターではない。
【０１０８】
適切な親水性界面活性剤は、ブレンド混合物を形成するように、スキンケア組成物の他成分と混和性であることが好ましい。組成物が適用された使い捨て吸収性物品を用いた者で皮膚感受性が生じうることから、これらの界面活性剤も皮膚に対して比較的マイルドで無刺激性にすべきである。典型的には、これらの親水性界面活性剤は、皮膚に無刺激であるばかりか、処理物品内の他のいずれの構造でも他の望ましくない作用を避けるために、ノニオン性である。例えば、ティッシュラミネート引張強度、十分な接着力などの減少。
【０１０９】
適切なノニオン性界面活性剤は組成物が物品へ適用された後で実質的に非移動性となり、典型的には約４〜約２０、好ましくは約７〜約２０の範囲でＨＬＢ値を有する。非移動性であるためには、これらのノニオン性界面活性剤は、典型的には、使い捨て吸収性物品の貯蔵、輸送、商取引および使用中によく出会う温度よりも高い融点、例えば少なくとも約３０℃を有する。この点において、これらのノニオン性界面活性剤は既に記載された定着剤のものと同様の融点を有することが好ましい。
【０１１０】
少なくともおむつの液体放出部分で物品へ適用される、組成物で使用に適したノニオン性界面活性剤には、アルキルグリコシド；参考のため組み込まれる、１９７７年３月８日付でLangdonらに発行されたＵＳ特許４，０１１，３８９で記載されたようなアルキルグリコシドエーテル；アルキルポリエトキシル化エステル、例えばPegosperse 1000MS（Lonza,Inc.,Fair Lawn,ＮＪ市販）、約２〜約２０、好ましくは約２〜約１０の平均エトキシル化度を有するＣ１２‐Ｃ１８脂肪酸のエトキシル化ソルビタンモノ、ジおよび／またはトリエステル、例えばTWEEN 60（約２０の平均エトキシル化度を有するステアリン酸のソルビタンエステル）およびTWEEN 61（約４の平均エトキシル化度を有するステアリン酸のソルビタンエステル）、脂肪族アルコールと約１〜約５４モルのエチレンオキシドとの縮合産物がある。脂肪族アルコールのアルキル鎖は典型的には直鎖（直線的）構造をとり、約８〜約２２の炭素原子を有する。約８〜約２２炭素原子のアルキル鎖を有するアルコールと、アルコール１モル当たり（平均で）約２〜約３０モルのエチレンオキシドとの縮合産物が、特に好ましい。このようなエトキシル化アルコールの例には、ミリスチルアルコールとアルコール１モル当たり７モルのエチレンオキシドとの縮合産物、ココナツアルコール（長さ１０〜１４炭素原子のアルキル鎖を有する脂肪アルコールの混合物）と約６モルのエチレンオキシドとの縮合産物がある。Union Carbide Corporation,Danbury,ＣＴから販売されているTERGITOL 15-S-9（Ｃ１１‐Ｃ１５直鎖アルコールと９モルのエチレンオキシドとの縮合産物）；Shell Chemical Co.,Houston,ＴＸから販売されているNEODOL商標名の界面活性剤、特にNEODOL 25-12（Ｃ１２‐Ｃ１５直鎖アルコールと平均１２モルのエチレンオキシドとの縮合産物）およびNEODOL 23-6.5T（ある不純物を除去するために蒸留（トッピング）された、Ｃ１２‐Ｃ１３直鎖アルコールと平均６．５モルのエチレンオキシドとの縮合産物）；特にＢＡＳＦ Corp.,Mt.Olive,ＮＪから販売されているPLURAFAC商標名の界面活性剤、とりわけPLURAFAC A-38（Ｃ１８直鎖アルコールと２７モルのエチレンオキシドとの縮合産物）を含めて、いくつかの適切なエトキシル化アルコールが市販されている（ある親水性界面活性剤、特にNEODOL 25-12のようなエトキシル化アルコールも、アルキルエトキシレート皮膚軟化剤として機能しうる）。好ましいエトキシル化アルコール界面活性剤の他の例にはＩＣＩ種のBrij界面活性剤およびその混合物があり、Brij 72（即ち、ステアレス‐２）およびBrij 76（即ち、ステアレス‐１０）が特に好ましい。しかも、約２〜約３０、好ましくは約１０〜約２０の平均エトキシル化度までエトキシル化されたセチルアルコールおよびステアリルアルコールの混合物も、親水性界面活性剤として用いてよい。
【０１１１】
本組成物で使用に適した別なタイプの界面活性剤には、Cytec Industries,Inc.,Morristown,ＮＪから販売されているスルホコハク酸ナトリウムのジオクチルエステル、Aerosol OTがある。
本組成物で使用に適した更に別なタイプの界面活性剤には、General Electric SF 1188（ポリジメチルシロキサンおよびポリオキシアルキレンエーテルのコポリマー）およびGeneral Electric SF 1228（シリコーンポリエーテルコポリマー）のようなシリコーンコポリアーがある。これらのシリコーン界面活性剤は、上記された他タイプの親水性界面活性剤、例えばエトキシル化アルコールと併用してもよい。これらのシリコーン界面活性剤は、組成物の０．１重量％もの低さで、更に好ましくは約０．２５〜約１．０％の濃度で有効であることがわかった。
【０１１２】
親水性組成物が望まれる場合、組成物の湿潤性を望ましいレベルまで高めるために要する親水性界面活性剤の量は、もし用いられるのであれば定着剤のＨＬＢ値およびレベル、用いられる界面活性剤のＨＬＢ値などのファクターに一部依存する。組成物の湿潤性を高めるために必要とされるとき、組成物は約０．１〜約５０％の親水性界面活性剤を含むことができる。好ましくは、湿潤性を高めるために必要とされるとき、組成物は約１〜約２５％、最も好ましくは約１０〜約２０％の親水性界面活性剤を含む。
【０１１３】
他の任意成分
組成物は、このタイプのエマルジョン、クリーム、軟膏、ローション、懸濁液などに典型的に存在する他の成分を含むことができる。これらの成分には、水、消毒抗菌活性剤、抗ウイルス剤、ビタミン、医薬活性剤、懸濁剤、皮膜形成剤、香料、脱臭剤、不透明剤、収斂剤、溶媒、保存剤などがある。加えて、セルロース誘導体、タンパク質およびレシチンのような安定剤も、組成物の貯蔵寿命を高めるために加えてよい。これらすべての物質がこのような処方物向けの添加物として当業界では周知であり、ここで使用の組成物に適量で用いうる。
【０１１４】
水ベーススキンケア組成物が用いられるならば、保存剤が必要とされる。適切な保存剤には、プロピルパラベン、メチルパラベン、ベンジルアルコール、ベンザルコニウム、三塩基性リン酸カルシウム、ＢＨＴ、またはクエン酸、酒石酸、マレイン酸、乳酸、リンゴ酸、安息香酸、サリチル酸のような酸などがある。適切な増粘剤には、有効な定着剤として記載された剤のうち一部がある。適切な溶媒にはプロピレングリコール、グリセリン、シクロメチコン、ポリエチレングリコール、ヘキシレングリコール、ジオールおよびマルチヒドロキシベース溶媒がある。適切なビタミンの非制限例にはＡ、Ｄ３、Ｅ、Ｂ５およびＥ酢酸エステルがある。
【０１１５】
III.吸収性物品
ここで“吸収性物品”とは体滲出液を吸収および貯留する物品に関する。“使い捨て”という用語は、１回の使用後に吸収性物品として洗濯したり修復または再使用したりさせない吸収性物品を表わすために、ここでは用いられている。使い捨て吸収性物品の例として、生理用ナプキン、パンティライナーおよびタンポンのような女性生理物品、おむつ、失禁用ブリーフ、オムツホルダー、トレーニングパンツなどがある。
【０１１６】
使い捨て吸収性物品は、典型的には、トップシート液体透過性）、バックシート（好ましくは液体不透過性）、トップシートとバックシートとの間におかれた吸収性芯からなる。使い捨て吸収性物品、並びにトップシート、バックシート、吸収性芯およびこれら構成材の個別層を含めたその構成材は、身体側表面および衣類側表面を有している。ここで用いられている“身体側表面”とは着用者の体へ向けてまたは接するように着用される物品または構成材の表面を意味し、一方“衣類側表面”はその反対側にあって、使い捨て吸収性物品が着用されたときに着用者の衣類または下着へ向けて着用されるかまたは接しておかれる。
【０１１７】
以下の記載では、本発明の方法に用いられる使い捨て吸収性物品で有用な吸収性芯、トップシートおよびバックシート物質について一般的に記載している。この一般的記載は、ここで一般的に記載された他の使い捨て吸収性物品のものに加えて、図１で示されて更に以下で記載された具体的な吸収性物品のこれら構成材についてもあてはまると理解されている。
【０１１８】
一般的に、吸収性芯は液体（例えば、月経分泌液、尿および／または他の体滲出液）を吸収または貯留することができる。吸収性芯は、好ましくは、着用者の皮膚に対して圧縮性、適合性および無刺激性である。吸収性芯は、様々な大きさおよび形状（例えば、長方形、楕円形、くびれ形、“Ｔ”字形、犬骨形、非対称形など）で製造される。本発明の吸収複合材に加えて、吸収性芯は、エアフェルトと通常称される細分化木材パルプのような、吸収性物品で常用される様々な液体吸収物質のうちいずれを含有してもよい。吸収性芯で使用に適した他の吸収物質の例には、クレープ状セルロース詰物；コフォームを含めたメルトブローンポリマー；化学的強化、修飾または架橋セルロース繊維；けん縮ポリエステル繊維のような合成繊維；ピートモス；ティッシュラップおよびティッシュラミネートを含めたティッシュ；吸収フォーム；吸収スポンジ；超吸収ポリマー；吸収ゲル化物質；またはいずれか相当する物質または物質の組合せ、またはこれらの混合物がある。
【０１１９】
吸収性芯の構成および構造も様々でよい（例えば、吸収性芯は様々な厚みゾーンおよび／またはセンターで厚くなるようなプロファイル；親水性勾配；本発明の吸収複合材の勾配、超吸収材勾配；または低い平均密度および低い平均基本重量区域（ゾーン）、例えば獲得帯；あるいは１以上の層または構造を有してよい）。しかしながら、吸収性芯の総吸収能は吸収性物品の設計荷重および使用意図と適合するべきである。更に、吸収性芯の大きさおよび吸収能は、おむつ、失禁用パッド、パンティライナー、レギュラー生理用ナプキンおよびオーバーナイト生理用ナプキンのような異なる使用に合わせて、および幼児から成人まで着用者に合わせて変えてよい。
吸収性芯は、吸収性物品でよく用いられる他の吸収構成材、例えばダスティング層、吸上または捕捉層、または着用者の安心感を高めるための第二トップシートを含んでもよい。
【０１２０】
トップシートは、好ましくは、着用者の皮膚に対してなじんでソフトな感触および無刺激性である。更に、トップシートは液体透過性であって、その厚さを通して液体（例えば月経分泌液および／または尿）を容易に浸透させる。適切なトップシートは、有孔不織物質を含めた、織布および不織物質（例えば、繊維の不織ウェブ）のような様々な物質；有孔成形熱可塑性フィルム、有孔プラスチックフィルムおよびハイドロフォームド熱可塑性フィルムのようなポリマー物質；多孔性フォーム；網状フォーム；網状熱可塑性フィルム；および熱可塑性スクリムから製造してよい。適切な織布および不織物質は、天然繊維（例えば、木またはコットン繊維）、合成繊維（例えば、ポリエステル、ポリプロピレンまたはポリエチレン繊維のようなポリマー繊維）または天然および合成繊維の組合せから構成しうる。トップシートが不織ウェブを含んでなるとき、そのウェブは様々な公知技術により製造してよい。例えば、ウェブはスパン結合(spunbond)、スパンレース、カード(card)、ウェットレイド(wet laid)、メルトブロー、ハイドロインタングル(hydroentangle)、ハイドロフォームド(hydroformed)、ハイドロアパーチャード(hydroapertured)、上記の組合せなどでもよい。トップシートは、好ましくは、ここで記載されているようなスキンケア組成物を含む。
【０１２１】
典型的には、バックシートは液体（例えば月経分泌液および／または尿）に対して不透過性であるが、液体透過性バックシートも液体不透過性ライナーまたは内層と組み合わせるとここでは有用である。バックシートは好ましくは薄いプラスチックフィルムを含んでなるが、他のフレキシブルな液体不透過性物質も用いてよい。ここで用いられている“フレキシブル”という用語は、人体の全体形状および外形になじんで、それと容易にぴったり合わさるような物質に関する。バックシートは、ベッドシーツ、パンツ、パジャマおよび下着のような吸収性物品と接触するものを、吸収性芯に吸収および含有された滲出液で濡らさないようにする。そのため、バックシートは、織布または不織物質、ポリエチレンまたはポリプロピレンの熱可塑性フィルムのようなポリマーフィルム、あるいはフィルムコーティング不織物質のような複合物質を含んでなる。適切なバックシートは、約０．０１２ｍｍ（０．５ミル）〜約０．０５１ｍｍ（２．０ミル）の厚さを有するポリエチレンフィルムである。例示ポリエチレンフィルムは、名称Ｐ１８‐１４０１でClopay Corporation,Cincinnati,Ohio、および名称ＸＰ‐３９３８５でTredegar Film Products,Terre Haute,Indianaにより製造されている。バックシートは、より布様の外観を呈するように、好ましくはエンボスおよび／またはつや消し仕上げされる。バックシートの大きさは、吸収性芯の大きさおよび選択される吸収性物品のデザインそのものに左右される。更に、バックシートは蒸気を吸収性物品から逃しながら（即ち、バックシートは通気性である）、なおバックシートから滲出液を通り抜けさせないようにしてもよい。“通気性”とは、皮膚と吸収性物品との間の部分で相対湿度の減少を促すと考えられている。
【０１２２】
バックシートおよびトップシートは、吸収性芯の衣類側表面および身体側表面近くに各々位置している。吸収性芯は、好ましくは、当業界で周知のような取付手段により知られている何らかの手法で（図１で示されていない）、トップシート、バックシートまたは双方と連結される。しかしながら、吸収性芯の全部または一部がトップシート、バックシートまたは双方へ取り付けられていない本発明の態様が考えられる。
【０１２３】
例えば、バックシートおよび／またはトップシートは、接着剤の均一連続層、接着剤のパターン層、または接着剤の別々なライン、スパイラルもしくはスポット配列により、接着コアへまたは互いに連結してもよい。申し分ないとわかった接着剤は、名称ＨＬ‐１２５８またはＨ‐２０３１でH.B.Fuller Company,St.Paul,Minnesotaにより製造されている。取付手段は、１９８６年３月４日付でMinetolaらに発行された、参考のためここに組み込まれるＵＳ特許４，５７３，９８６で開示されているように、好ましくは接着剤のフィラメントのオープンパターンネットワークを形成する。フィラメントのオープンパターンネットワークの例示取付手段は、１９７５年１０月７日付でSprague,Jrに発行されたＵＳ特許３，９１１，１７３、１９７８年１１月２２日付でZwiekerらに発行されたＵＳ特許４，７８５，９９６および１９８９年６月２７日付でWereniczに発行されたＵＳ特許４，８４２，６６６で示された装置および方法で例示されているような、スパイラルパターンに渦巻いた接着フィラメントのいくつかのラインからなる。これら特許の各々は参考のためここに組み込まれる。一方、取付手段は、当業界で知られているような、熱結合、圧力結合、超音波結合、動的機械的結合、いずれか他の適切な取付手段またはこれら取付手段の組合せでもよい。
【０１２４】
着用者接触表面がスキンケア組成物で処理される好ましい使い捨て吸収性物品はおむつである。ここで用いられている“おむつ”という用語は、着用者の胴体下部付近で着用される、幼児および失禁者により通常着用される吸収性物品に関する。換言すると、“おむつ”という用語には、幼児おむつ、トレーニングパンツ、成人失禁物品などがある。
【０１２５】
図１は、全くの未収縮（即ち、弾力式収縮引き伸ばし）状態にある、本発明の方法で有用なおむつ５０の平面図であり、その構造の一部はおむつ５０の構成をより明確に示すために切り開かれており、着用者から離れた側にあるおむつ５０の一部（外表面）は図を見ている人の方を向いている。図１で示されているように、おむつ５０は好ましくは液体透過性トップシート５２０；トップシート５２０と連結された液体不透過性バックシート５３０；トップシート５２０とバックシート５３０との間に配置された吸収性芯５４０を含んでなり、その吸収性芯５４０は衣類側表面５４２、身体側表面５４４、側端部５４６、ウエスト端部５４８および耳部５４９を有している。おむつ５０は好ましくは更に伸縮性レッグカフ５５０；５６０として拡大して示された弾性ウエスト部；５７０として通常拡大して示された締結システムを含んでいる。
【０１２６】
おむつ５０は、外表面５２、外表面５２とは反対側の身体側表面に相当する内表面５４、第一ウエスト部分５６、第二ウエスト部分５８、およびおむつ５０の外側端により定められる外縁部５１を有して、そこでは縦方向端部が５５および末端部が５７で表わされるように、図１で示されている（当業者であれば、おむつは一対のウエスト部分とそのウエスト部分間の股部分とを有するというように通常記載されることがわかるであろうが、この明細書では、術語の簡素化のために、股部分の一部として典型的に表わせる、おむつの一部を占めるウエスト部分のみを有するとしておむつ５０が記載されている）。おむつ５０の身体側表面５４は、使用中に着用者の体付近に位置するおむつ５０の部分を含んでなる。身体側表面５４は、トップシート５２０の少なくとも一部およびトップシート５２０に連結された他の構成材、例えばレッグカフ５５０、並びにトップシートが伸びていないが着用者となお接触している部分、例えばウエスト部５６０、サイドパネルなどにより形成される。外表面５２は、着用者の体から離れて位置するおむつ５０の部分を含んでなる（即ち、外表面５２はバックシート５３０の少なくとも一部、およびそのバックシートへ連結された他の構成材により形成される）。第一ウエスト部分５６および第二ウエスト部分５８は、外縁部５１の末端部５７からおむつ５０の横方向センターライン５３へ各々延在してなる。図１は縦方向センターライン５９も示している。
【０１２７】
図１は、トップシート５２０およびバックシート５３０が吸収性芯５４０のものよりも通常大きな長さおよび幅寸法を有した、おむつ５０の好ましい態様を示している。伸縮性レッグカフ５５０およびバックシート５３０は吸収性芯５４０の端部より延出して、おむつ５０の外縁部５１を形成している。
【０１２８】
本発明のおむつはいくつかの周知構造を有しており、その吸収性芯は本発明向けに適合されている。例示の構造は、１９７５年１月１４日付でBuellに発行されたＵＳ特許３，８６０，００３、１９９２年９月２９日付でBuellらに発行されたＵＳ特許５，１５１，０９２、１９９３年６月２２日付でBuellらに発行されたＵＳ特許５，２２１，２７４で一般的に記載されている。これら特許の各々が参考のためここに組み込まれる。本発明で容易に適合させうるもう１つのおむつ構造は、１９９４年２月２８日付で出願された、参考のためここに組み込まれる同時係属ＵＳ特許出願０８／２０３，４５６で記載されている。これらの特許で記載されたおむつの吸収性芯は、ここで記載された吸収ゲル化物質として本発明の吸収構成材を形成するように、ここの開示に照らして適合させることができる。
【０１２９】
おむつ５０で使用に特に適したトップシート５２０は、布帛業者に周知の手段によりカード化および熱結合される。本発明にとり申し分ないトップシートは、約２．２のデニールを有するステープル・レンクス(staple length)ポリプロピレン繊維を含んでなる。ここで用いられている“ステープル・レンクス繊維”という用語は、少なくとも約１５．９ｍｍ（０．６２５インチ）の長さを有した繊維に関する。好ましくは、トップシートは約１４〜約２５ｇ／平方メートルの基本重量を有している。適切なトップシートはVeratec,Inc.,a Division of International Paper Company,Walpole,Mass.からＰ‐８の名で製造されている。
【０１３０】
おむつ５０のトップシート５２０は、好ましくは、トップシートで液体（例えば尿）の速やかな移行を促すために、親水性物質から作られる。トップシートが疎水性物質から作られるならば、トップシートの上部表面の少なくとも一部は、液体がトップシートをより速く通れるように、親水性となるよう処理される。これは、体滲出液がトップシートから吸引されて吸収性芯に吸収されるよりもむしろトップシートから漏れ出る、という可能性を減らす。トップシートは界面活性剤でそれを処理することで親水性にしうる。界面活性剤でトップシートを処理するために適した方法には、トップシート物質を界面活性剤でスプレーすること、およびその物質を界面活性剤に浸すことがある。このような処理および親水化の更に詳細な説明は、１９９１年１月２９日付でReisingらに発行された“多層吸収層を有する吸収性物品”と題するＵＳ特許４，９８８，３４４、および１９９１年１月２９日付でReisingに発行された“即時捕捉吸収性芯を有する吸収性物品”と題するＵＳ特許４，９８８，３４５で記載されており、それら各々が参考のためここに組み込まれる。
【０１３１】
一方、トップシートは女性生理吸収性物品で好ましい有孔成形フィルムの形をとってもよい。有孔成形フィルムは体液に対して透過性であるが、なお非吸収性であって、液体が着用者の皮膚へ逆戻りして再湿潤させる傾向を減らせることから、それらが有用である。そのため、体と接触している成形フィルムの表面は乾燥したままであり、こうして体の汚れを減少させて、より快適な感触を着用者にもたらしている。適切な成形フィルムは、１９７５年１２月３０日付で発行されたＵＳ特許３，９２９，１３５（Thompson）、１９８２年４月１３日付で発行されたＵＳ特許４，３２４，２４６（Mullaneら）、１９８２年８月３日付で発行されたＵＳ特許４，３４２，３１４（Radelら）、１９８４年７月３１日付で発行されたＵＳ特許４，４６３，０４５（Ahrら）および１９９１年４月９日付で発行されたＵＳ５，００６，３９４（Baird）で記載されている。それら特許の各々が参考のためここに組み込まれる。特に好ましい微孔成形フィルムトップシートは１９８６年９月２日付で発行されたＵＳ特許４，６０９，５１８（Curroら）および１９８６年１２月１６日付で発行されたＵＳ特許４，６２９，６４３（Curroら）で開示されており、それらは参考のため組み込まれる。女性生理物品で使用上好ましいトップシートは、１以上の上記特許で記載された成形フィルムであり、The Procter & Gamble Company,Cincinnati,ＯＨから”DRI-WEAVEＲ”として生理用ナプキン向けに販売されている。
【０１３２】
成形フィルムトップシートの身体側表面は、液体が吸収構造に流入して吸収されるよりもむしろトップシートから漏れ出る可能性を減らせるように、身体側表面が親水性でない場合よりも速く体液をトップシートから通しうるよう、親水性であってもよい。好ましい態様において、参考のために組み込まれる、Azizらにより１９９１年１１月１９日付で出願された“不織および有孔フィルムカバーシートを有する吸収性物品”ＵＳ特許出願０７／７９４，７４５で記載されているように、界面活性剤が有孔フィルムトップシートのポリマー物質中に配合される。一方、トップシートの身体側表面は、参考のためここに組み込まれる前記のＵＳ特許４，９５０，２５４で記載されているように、それを界面活性剤で処理することで親水性にすることができる。
【０１３３】
ここで記載されているようなおむつの好ましい態様において、バックシート５３０は全体のおむつ外縁部周辺に約１．３〜約６．４ｃｍ（約０．５〜約２．５インチ）の最短距離で吸収性芯よりも伸びた改良くびれ形を有している。
【０１３４】
吸収性芯５４０はおむつ５０と適合しうる大きさまたは形状をとる。おむつ５０の１つの好ましい態様では、第一ウエスト部分に耳部をもつ非対称改良Ｔ字形吸収性芯５４０を有しているが、第二ウエスト部分は通常長方形である。本方法で有用な物品の吸収性芯として使用上例示される吸収物質は、例えば、１９８６年９月９日付でWeismanらに発行された“高密度吸収構造”と題するＵＳ特許４，６１０，６７８；１９８７年６月１６日付でWeismanらに発行された“二重積層コアを有する吸収性物品”と題するＵＳ特許４，６７３，４０２；１９８９年１２月１９日付でAngstadtに発行された“ダスティング層を有する吸収性芯”と題するＵＳ特許４，８８８，２３１；および１９８９年５月３０日付でAlemanyらに発行された“低密度および低基本重量獲得帯を有する高密度吸収材”と題するＵＳ特許４，８３４，７３５で記載されている。吸収性芯は、１９９３年８月１０日付でAlemanyらに発行された“弾性ウエスト部および高吸収力を有する吸収性物品”と題するＵＳ特許５，２３４，４２３；１９９２年９月１５日付でYoung,LaVonおよびTaylorに発行された“失禁処理用の高効率吸収性物品”と題するＵＳ特許５，１４７，３４５で詳述されているように、吸収貯留コアに配された化学強化繊維の捕捉／分配コアを含む二重コアシステムから更になってもよい。これらすべての特許は参考のためここに組み込まれる。
【０１３５】
好ましい態様において、おむつ５０は、液体および他の体滲出液の改良封じ込め性を示す伸縮性レッグカフ５５０；改善されたフィットおよび封じ込め性を示す弾性ウエスト部５６０；横方向の引張り力がおむつの周辺部で保たれて、おむつを着用者へ取り付けられるように、第一ウエスト部分５６および第二ウエスト部分５８を重ね合わせた構造で維持するようなサイドクロージャーを形成する締結システム５７０も更に含んでいる。おむつ５０は、おむつ５０のより快適でぴっりしたフィットおよびより効果的な適用をもたらせる弾性的伸長特徴を示すように、ウエスト部分５６および５８に伸縮性ウエストバンド（示さず）および／または伸縮性サイドパネル（示さず）も含んでよい。
【０１３６】
伸縮性レッグカフ５５０は、ＵＳ特許３，８６０，００３、１９９０年３月２０日付でAzizらに発行されたＵＳ特許４，９０９，８０３、１９８７年９月２２日付でLawsonに発行されたＵＳ特許４，６９５，２７８、および１９８９年１月３日付でDragooに発行されたＵＳ特許４，７９５，４５４で記載されたものを含めて、いくつかの異なる構造で作製することができ、各々が参考のためここに組み込まれる。ここで有用な組成物で処理された伸縮性カフを有する吸収性物品は、１９９６年１２月３日付で出願された同時係属ＵＳ特許出願０８／７６６，３８６および１９９７年４月２４日付で出願された同時係属ＵＳ特許出願０８／８４０，０３９で開示されており、双方とも参考のため組み込まれる。
【０１３７】
伸縮性ウエスト部は、１９８５年５月７日付でKievitらに発行されたＵＳ特許４，５１５，５９５、１９９１年１月２５日付でRobertsonに発行されたＵＳ特許５，０２６，３６４、および１９９２年９月２９日付でBuellらに発行された前記のＵＳ特許５，１５１，０９２で記載されたものを含めて、いくつかの異なる構造で作製しうる、伸縮性ウエストバンド（示さず）からなることが好ましく、これら文献の各々が参考のためここに組み込まれる。
【０１３８】
伸縮性サイドパネルもいくつかの構造で作製しうる。おむつの耳部（耳フラップ）に伸縮性サイドパネルを取り付けたおむつの例は、１９８９年８月１５日付でWoodらに発行されたＵＳ特許４，８５７，０６７、１９８３年５月３日付でSciaraffaらに発行されたＵＳ特許４，３８１，７８１、１９９０年７月３日付でVan Gompelらに発行されたＵＳ特許４，９３８，７５３、および１９９２年９月２９日付でBuellらに発行されたＵＳ特許５，１５１，０９２で開示されており、それら各々が参考のためここに組み込まれる。
【０１３９】
例示される締結システム５７０は、１９８９年１月１１日付でScrippsに発行されたＵＳ特許４，８４６，８１５、１９９０年１月１６日付でNestegardに発行されたＵＳ特許４，８９４，０６０、１９９０年８月７日付でBattrellに発行されたＵＳ特許４，９４６，５２７、１９７４年１１月１９日付でBuellに発行されたＵＳ特許３，８４８，５９４、１９８７年５月５日付でHirotsuらに発行されたＵＳ特許Ｂ１  ４，６６２，８７５、および１９９２年９月２９日付でBuellらに発行されたＵＳ特許５，１５１，０９２で開示されており、それら各々が参考のためここに組み込まれる。
【０１４０】
おむつ５０は、おむつのウエスト部分の１つ、好ましくは第二ウエスト部分５８を着用者の背中にあて、他のウエスト部分、好ましくは第一ウエスト部分５６が着用者の前部にくるように、着用者の足の間におむつの残部を引き寄せることにより、着用者へ適用することが好ましい。次いで締結システムがサイドクロージャーを形成するように適用される。
【０１４１】
もちろん、いかなる吸収性物品デザインも、その物品が使用中にスキンケア組成物を皮膚へデリバリーしうるかぎり、本発明のスキンケア組成物を配合するために利用してよいことが認められるであろう。上記の開示は単に説明目的のみである。
【０１４２】
本発明の方法では、望ましいスキンケア組成物のデリバリーを行うために、トレーニングパンツも用いてよい。ここで用いられている“トレーニングパンツ”という用語は、幼児または成人着用者向けにデザインされた取り付けサイドおよび足開口部を有する使い捨て衣類に関する。トレーニングパンツ（当業界では“プルオン(pull-on)”製品とも称されている）は、着用者の足を足開口部へ入れて、トレーニングパンツを着用者の胴体下部付近までひっぱりあげることにより、着用者の適所に取り付けられる。適切なトレーニングパンツは、１９９３年９月２１日付でHasseらに発行されたＵＳ特許５，２４６，４３３、１９９６年１０月２９日付でBuellらに発行されたＵＳ特許５，５６９，２３４、１９９０年７月３日付でVan Gompelらに発行されたＵＳ特許４，９４０，４６４、および１９９２年３月３日付でNomuraらに発行されたＵＳ特許５，０９２，８６１で開示されており、それら各々の開示が参考のためここに組み込まれる。
【０１４３】
本方法で使用上もう１つの使い捨て吸収性物品は失禁物品である。“失禁物品”という用語は、それらが成人または他の失禁者により着用されるかどうかにかかわらず、パッド、下着（ベルトなどのような同タイプの取り付けシステムで適所に保たれるパッド）、吸収性物品向けインサート、吸収性物品向けキャパシティブースター、ブリーフ、ベッドパッドなどに関する。適切な失禁物品は、１９８１年３月３日付でStricklandらに発行されたＵＳ特許４，２５３，４６１、Buellに発行されたＵＳ特許４，５９７，７６０および４，５９７，７６１、前記のＵＳ特許４，７０４，１１５、Ahrらに発行されたＵＳ特許４，９０９，８０２、１９９０年１０月２３日付でGipsonらに発行されたＵＳ特許４，９６４，８６０、および１９９４年４月１９日付でNoelらに発行されたＵＳ特許５，３０４，１６１で開示されており、それら文献の各々の開示が参考のためここに組み込まれる。
【０１４４】
本方法で使用上もう１つの使い捨て吸収性物品は、生理用ナプキンのような女性生理物品である。適切な女性生理物品は、１９８５年１２月３日付でSwansonらに発行されたＵＳ特許４，５５６，１４６、１９９３年４月２７日付でVan Tilbergに発行されたＵＳ特許Ｂ１  ４，５８９，８７６、１９９７年８月１８日付でVan Tilburgに発行されたＵＳ特許４，６８７，４７８、１９９０年８月２１日付でOsborn,IIIに発行されたＵＳ特許４，９５０，２６４、１９９１年４月２３日付でOsborn,IIIに発行されたＵＳ特許５，００９，６５３、１９９３年１２月７日付でVan Tilburgに発行されたＵＳ特許５，２６７，９９２、１９９５年２月１４日付でLavashらに発行されたＵＳ特許５，３８９，０９４、１９９５年５月９日付でRoachらに発行されたＵＳ特許５，４１３，５６８、１９９５年１０月２４日付でEmenakerらに発行されたＵＳ特許５，４６０，６２３、１９９６年２月６日付でVan Tilburgに発行されたＵＳ特許４，４８９，２８３、１９９６年１０月２９日付でEmenakerらに発行されたＵＳ特許５，５６９，２３１、および１９９７年４月１５日付でBamberに発行されたＵＳ特許５，６２０，４３０で開示されており、それら各々の開示が参考のためここに組み込まれる。
【０１４５】
IV．スキンケア組成物で物品を処理する
本組成物を製造する際に、本発明の様々な成分を混合する順序および手法は特に重要でない。諸成分を高温で一緒に混ぜることは不要である。諸成分は実質的に均一な組成物を形成するように約４０〜約１００℃の温度でよく混ぜてもよいことがわかった。攪拌が通常要される。攪拌から生じる粘稠熱は、諸成分の実質的に均一な分散が得られるほど十分に混合物または組成物の温度を高めうることがわかった。時には、外熱も加えてよい。レオロジー剤が均一に混合されるおよび／または活性化される（即ち、レオロジー構造を形成する）ように、攪拌しながらレオロジー剤がキャリアへ加えられることが好ましい。前分散が用いられる場合には、粒状物質および前分散物が別々のステップで前混合されてから、組成物へ加えられる。しかしながら、酸化亜鉛または他のスキンケア成分の前分散は不要である。これらの成分は十分な攪拌下でキャリアと直接混合しうる。
【０１４６】
本発明の吸収性物品を製造する際に、スキンケア組成物は、着用中に、組成物の少なくとも一部が処理物品から着用者の皮膚へ移行するように適用される。即ち、スキンケア組成物は、スキンケア組成物がユーザー／介護者による介入なしに使用中１以上の着用者接触表面から容易に移行しやすくなるように、１以上の着用者接触表面へ直接適用されるか、あるいは別々な箇所または手段で適用される（例えば、物質を着用者接触表面の下におく、組成物を封入するなど）。もちろん、糞と最も接触しやすい体部分へ組成物をデリバリーさせるためには、着用中に着用者の尻、陰部、間擦および肛門部分と接触するトップシートおよびカフの部分へ組成物を含有させることが好ましい。加えて、組成物は着用者の臀部、腹部、背中、腰、横腹、大腿部などのうち１以上へデリバリーするため他の物品部分へ適用してもよい。適切な方法の非制限例には、スプレー、印刷（例えば、フレキソ印刷）、コーティング（例えば、コンタクトスロットコーティング、グラビアコーティング）、浸漬、押出しまたはこれら適用技術の組合せ、例えばカレンダーロールのような回転表面上へスキンケア組成物をスプレーしてから、物品の望ましい箇所へその組成物を移すというものがある。一方、スキンケア組成物は様々な方法で固形または半固形物質として基材へ適用してもよい。適用技術／装置毎に特定範囲の神学的性質（例えば、見掛け粘度、弾性率）をもつ物質に適していることが理解されている。例えば、押出しは加工温度で約１００，０００〜約１，０００，０００センチポイズ範囲の見掛け粘度、または約５０００〜約５０，０００dyne/cm2範囲の弾性率を有するスキンケア組成物に適している。
【０１４７】
物品のトップシートへ適用されるとき、組成物をその物品へ適用する手法は、組成物が性質上疎水性であるならば、トップシートが少なくとも物品の液体放出部分に相当する部分において組成物で飽和しないようにすることが好ましい。トップシートが液体放出部分で組成物で飽和するようになると、その組成物がトップシート開口部を塞いで、下層の吸収性芯へ液体を運ぶトップシートの能力を減少させる可能性が大きくなる。しかも、トップシートの飽和はスキンケア効果を得る上で不要である。同様に、他の処理物品構成材の飽和も、望ましい皮膚効果にとり十分な組成物を移行させる上で、必要でないかまたは望ましくない。特に適切な適用法では、物品のトップシートの外表面へ主に組成物を適用する。
【０１４８】
物品の着用者接触表面へ適用される組成物の最少レベルは、組成物が本発明に従いデリバリーされたときに外観、保護および／またはスキンコンディショニング効果を発揮する上で有効な量である。適用される組成物のレベルは、処理される物品構成材、組成物で処理されない着用者接触表面の表面積の相対量、組成物の内容などを含めた様々なファクターに依存する。一般的に、組成物は約０．０５mg/in2（０．００７８mg/cm2）〜約１００mg/in2（１５．６mg/cm2）、好ましくは約０．１mg/in2（０．０１６mg/cm2）〜約５０mg/in2（７．８mg/cm2）、更に好ましくは約１mg/in2（０．１５６mg/cm2）〜約２５mg/in2（３．９mg/cm2）の量で物品に適用される。スキンケア組成物は比較的疎水性であって、トップシート表面全体を覆うことなく物品のトップシートへ適用されることが認められている。それより高いレベルのスキンケア組成物でも、流体処理性が影響をうけない他の物品構成材（例えば、カフ、ウエストバンド、サイドパネルなど）へ適用してよいことが認められるであろう。比較的親水性の組成物では、液体処理性に許容しえない程度まで悪影響を与えないのであれば、高い付着レベルまたは完全な被覆でトップシートに用いてよいことも認められるであろう。逆に、漏れを生じかねない物品の端部への滲出液の流れ出しを避けるために、トップシート以外の構成材（例えば、カフ、ウエスト）へ適用されるときには、高レベルの親水性組成物は望ましくない。
【０１４９】
好ましいことに組成物は処理された部分の表面へ実質的に定着されるため、有効量のスキンケア成分をデリバリーするには比較的少量の組成物で済む。望ましい皮膚効果を出すために低レベルで用いうる能力は、物品が着用されると、組成物が継続して自然にデリバリーされるという事実のおかげであると考えられる。示されたように、比較的低レベルのスキンケア組成物を用いうる能力のおかげで、物品のトップシートが液体放出部分でその液体移動性を維持しうる。
【０１５０】
スキンケア組成物は物品の着用者接触表面へ不均一に適用してもよい。“不均一”とは、組成物の量、箇所、分布パターンなどが着用者接触表面上で様々であり、更に物品の特定部分でも様々であることを意味している。例えば、トップシートの液体処理性能を維持するためには、特に組成物が性質上疎水性であるならば、組成物をトップシートへ不均一に適用することが望ましい。この点において、物品の処理表面のある部分（その一部）は、いかなる組成物も有しない表面の部分を含めて、多くのまたは少ない量の組成物を有することができる。組成物が比較的疎水性であるとき、１つのこのような好ましい態様において、トップシートの表面は、特に物品の股部分に相当するトップシートの部分で、組成物が適用されない部分を有する。ここで用いられているように、物品の股部分は以下のように長方形であって、物品の股部付近で縦横の中心に位置する。“股部”とは、着用者に立たせた状態で物品をはかせて、８の字形で足の周りに伸縮性フィラメントをあてがうことにより定められる。フィラメントの交差点に相当する物品の箇所が、その物品の股部と思われる（股部は、意図された手法で吸収性物品を着用者にはかせて、交差したフィラメントが物品と接する箇所を調べることにより定められる、と理解されている）。失禁物品（例えば、おむつ、成人失禁物品）では、股部分の長さは吸収性物品全長の（即ち、ｙ寸法で）４０％に相当する。生理用ナプキンでは、股部分の長さは吸収性物品全長の８０％に相当する。股部分の幅は、股部で測定すると、最も広い吸収性芯構成材の幅に相当する（ここで用いられている“吸収性芯”構成材とは、体液を捕捉、輸送、分配および／または貯留することに関与する物質である。このような吸収性芯という用語には、吸収性物品のトップシートまたはバックシートを含まない）。説明すると、２０ｉｎの長さおよび股部で４ｉｎのコア幅を有する失禁物品の場合には、股部分は長方形であって、股部に中心があり、８ｉｎの長さおよび４ｉｎの幅を有する。
【０１５１】
意外にも、トップシートまたは他の基材は不均一に処理されるが（例えば、狭いまたは広い部分で組成物が適用されない）、物品の着用中に、組成物はトップシートまたは他の構成材内の未処理部分に相当する皮膚の部分でも着用者へ移行する。皮膚へ移行する組成物の量および均一性は、例えばスキンケア組成物の適用パターン、処理物品表面への着用者皮膚の接触、着用時に着用者の皮膚と処理部分とで生じるこすれ合い、組成物の移行を高めるように着用者から生じる暖かさ、組成物の性質、組成物を構成する物質などを含めて、いくつかのファクターに依存すると考えられている。
【０１５２】
組成物が不均一に適用される場合、例えば小さな液滴（例えば、スプレーにより得られる）、離散ドット（例えば、グラビア印刷により得られる）、物品の縦横方向に伸びるストライプ（コンタクトスロットコーティングにより得られる）、縦横方向などに伸びるスパイラル、パターン印刷などを含めて、いかなるパターンで利用してもよい。トップシートが離散して処理された部分を有する態様において、物品の股部分に相当するトップシートの部分のオーブンエリア率は様々である（ここで記載されているトップシートの“オーブンエリア率”とは、（ｉ）股部分にあたるトップシートの表面積を測定し、（ii）トップシートのこの部分で未処理部分の全表面積を測定し、(iii)（ii）の測定値を（ｉ）の測定値で割ることにより求められる）。ここで用いられている“未処理”とは、組成物の約０．０１mg/in2（０．００１６mg/cm2）以下を占めるトップシートの部分を意味する。この点において、オーブンエリア率は約１〜約９９％、約５〜約９５％、約１０〜約９０％、約１５〜約８５％、約２０〜約８０％、約２５〜約７５％、約３０〜約７０％または約３５〜約６５％である。望ましい組成物効果およびトップシートの望ましい液体処理性を得るために必要とされるオーブンエリア率は、組成物の特性（特に、組成物の内容およびその相対的疎水性／親水性）によりかなり影響される。当業者であれば、望ましいオーブンエリア率は日常的実験で容易に決められることがわかるであろう。
【０１５３】
一般的に、組成物が比較的疎水性であって、トップシートの一部が組成物でコートされないように適用されるならば、組成物は約０．０５mg/in2（０．００７８mg/cm2）〜約１００mg/in2（１５．６mg/cm2）、好ましくは約０．１mg/in2（０．０１６mg/cm2）〜約５０mg/in2（７．８mg/cm2）、更に好ましくは約１mg/in2（０．１５６mg/cm2）〜約２５mg/in2（３．９mg/cm2）の量で物品トップシートへ好ましくは適用される。比較的親水性の組成物の場合には、トップシートの液体処理性に許容しえない程度まで悪影響を与えないのであれば、それより高い付着レベルで用いてよいこともわかるであろう。もちろん、股で比較的高いオーブンエリア率を有する物品の場合、大きな付着レベルでもトップシートによる液体処理性に悪影響を与えなければ得られる。
【０１５４】
本発明の１つの好ましい態様において、利用される物品のトップシートは、物品の縦方向に伸びたスキンケア組成物のストライプを有する。これらの縦方向ストライプ（またはスパイラル）は、スキンケア組成物がトップシートへほとんどまたは全く適用されない縦方向ストライプにより引き離される。これらの態様において、組成物の各ストライプは典型的には約０．１〜約０．７５ｉｎ、更に典型的には約０．１〜約０．５ｉｎの幅を有し、組成物を含まないストライプの幅は典型的には約０．１〜約１ｉｎ、更に典型的には約０．１５〜約０．５ｉｎである。これらの範囲は典型的な幼児おむつデザインにあてはまる。成人失禁物品のような大きな製品の場合には、これらの範囲は大きくなる。
スキンケア組成物は他の物品構成材に不均一なパターンで適用してもよい。これらの場合、オーブンエリアはスキンケア組成物の外縁で画される長方形により計算される。
【０１５５】
組成物は組み立てに際してどの時点で物品に適用してもよい。例えば、組成物が最終使い捨て吸収性物品へ適用されてから、それが包装される。組成物は所定の構成材（例えば、トップシート、カフ、サイド、ウエストなど）へ位置を変えてまたは物質供給器により適用してもよく、その後でそれが他の原材料と組み合わされて最終使い捨て吸収性物品を形成する。組成物が使用中に１以上の着用者接触表面へ移動するように、組成物は物品の他の区域（ゾーン）へ適用することができる。
【０１５６】
組成物は、典型的にはその溶融物から物品へ適用される。好ましい態様において、組成物は室温より有意に高い温度で完全に溶融し、それは物品へ加熱組成物として通常適用される。典型的には、組成物は、物品へ適用される前に、約３５〜約１５０℃、好ましくは４０〜約１００℃範囲の温度に加熱される。スキンケア成分は加熱前または後に組成物へ加えられる。感熱性成分、例えばプロテアーゼインヒビターまたは酵素インヒビターが用いられるときには、特別な注意が払われるべきである。加熱前に加えられるならば、組成物が加熱される温度はインヒビターを変性させないように選択される。一方、インヒビターに影響を与えない温度まで冷却されたが、物品へ適用しうるほどなお液体である、予熱された組成物へ、インヒビターが加えられてもよい。溶融組成物が物品へ適用されると、それは冷却および固化される。好ましくは、適用プロセスは組成物の冷却／セットアップに役立つように考えられる。
【０１５７】
組成物を物品へ適用するには、コンタクトスロットコーティング、スプレー、グラビアコーティング、押出しコーティング法が好ましい。トップシートが他の原材料と共に最終吸収性物品へ組み立てられる前または後に、１つのこのような方法で物品のトップシートへ組成物のスロットコーティングを行う。
【０１５８】
図２は、変換操作中に、おむつトップシートおよび／またはレッグカフへスキンケア組成物の連続または断続コンタクトスロットコーティングを行う、好ましい方法を示している。図２によると、コンベヤベルト１は回転ロール３および４で矢印により示された方向へ進み、コンベヤベルト２として戻ってくる。コンベヤベルト１は無ローションおむつ５をコンタクトスロットコーティングステーション６へ運び、そこでトップシートおよび／またはカフパッチ７が熱溶融（例えば１７０°Ｆまたは７７℃）スキンケア組成物でコートされる。スロットコーティングステーション６を離れた後、無ローションおむつ５はローション付きおむつ８になる。パッチ７へ移されるローション組成物の量は、（１）溶融スキンケア組成物がコンタクトスロットコーティングステーション６から適用される速度、および／または（２）コンベヤベルト１がスロットコーティングステーション６の下を通る速度により制御される。
【０１５９】
図３は、トップシートおよび／またはカフが他の原材料と共に最終製品へ組み立てられる前に、おむつトップシートおよび／またはカフへスキンケア組成物をコンタクトスロットコーティングする、別の好ましい方法を示している。図３によると、不織ウェブ２１がペアレントロール２２（矢印２２ａで示された方向へ回転する）から巻き戻されて、コンタクトスロットコーティングステーション２６へ進み、そこで片側のウェブが熱溶融（例えば１７０°Ｆまたは７７℃）スキンケア組成物でコートされる。スロットコーティングステーション２６を離れた後、不織ウェブ２１は２３で示されたローション付きウェブになる。次いでローション付きウェブ２３は回転ロール２４および回転ロール２８で進められ、その後ローション付きペアレントロール２０（矢印２０ａで示された方向へ回転する）で巻き取られる。
【０１６０】
Ｖ．試験法
ａ．弾性率測定
溶融形の組成物の（弾性率、粘度のような）レオロジー性は、振動モードで粘度計（モデル番号ＣＳＬ１００としてＴＡ Instruments,New Castle,ＤＥから市販）を用いて測定される。測定は４０ｍｍの直径および６０ミクロンのギャップを有したコーンおよびプレート測定システムを用いて行われる。測定は約１００秒の待ち時間後に始める。測定は２つの温度：７７℃および４０℃で行われる。１０rad/secの振動数および０．２％の歪率で測定された弾性率が、組成物を特徴づけるために用いられる。即ち、ここで開示および／またはクレームされたすべての弾性率は、上記の操作条件で測定されている。
【０１６１】
ｂ．見掛け粘度測定
見掛け粘度は回転粘度計（Model ＤＶ‐３としてBrookfield Engineering Laboratories,Inc.,Middleboro,ＭＡから市販）を用いて７７℃および４０℃で測定される。粘度計は２号スピンドルを用いて１０ｒｐｍの剪断速度で操作する。
【０１６２】
ｃ．ゼロ剪断粘度測定
通常、“ゼロ剪断粘度”の値は粘度 vs.剪断速度のプロットをゼロの剪断速度に外挿することにより得られる。しかしながら、低剪断速度で降伏挙動を示す塑性または擬塑性流体の場合、外挿法では物質を完全かつ正確には表せない。一方、“ゼロ剪断粘度”は非常に低い剪断速度で測定された粘度により概算してもよい。ここで用いられている“ゼロ剪断粘度”という用語は、非常に低い剪断速度（例えば、１．０sec-1以下）および約２０℃の温度で、コーンおよびプレート粘度計（モデル番号ＣＳＬ１００としてＴＡ Instruments,New Castle,ＤＥから市販）により測定された値である。
【０１６３】
ｄ．粒径測定
Focus Beam Reflectance Mearsurement（ＦＢＲＭ）Model M500（Lasertec,Redman,ＷＡ市販）が用いられる。その装置は製造業者の指示に従い組み立てて操作する。ＦＢＲＭは溶液および／または懸濁液を特徴づけるために用いうる。ＦＢＲＭはサンプルの粒子数および平均粒子弦長さを測定して、液体系における粒状物質の平均粒径および分布を調べることができる。
【０１６４】
VI．例
下記例は、本発明の範囲内に属する態様の例示である。本発明は以下で示された具体例に限定されず、その多くのバリエーションが本発明の精神および範囲から逸脱せずに可能である、と理解すべきである。様々な成分のすべての量は、別記されないかぎり重量％で表示されている。
【０１６５】
以下で記載されたスキンケア組成物の各例は、ここで開示されているようなコンタクトスロットコーターにより、吸収性物品のトップシートへ付着される。例えば、マルチスロットを有する熱溶融接着剤アプリケーター（Nordson Corp.,Atlanta,ＧＡ製のMeltex EP11）が本発明で使用に適している。組成物は加熱タンクへ入れて約７７℃（即ち、約１７０°Ｆ）の温度で操作する。次いで組成物は、ストライプが物品の縦方向に伸びるストライプパターンで、物品のトップシートおよびカフ上へコンタクトアプリケーターで適用される。特に、各ストライプが幅（即ち、基材の横方向）約０．２５インチ、基材の縦方向で約１１．７インチであり、約１５．５mg/in2（２．４mg/cm2）の付着レベルとなるように、５つのストライプが適用される。ストライプ間の距離は約０．３１インチである。
【０１６６】
例１
Ａ．スキンケア組成物の製造
本発明の例示スキンケア組成物は、下記表１で示された組成を有している：
0004637371.tif 000007
【０１６７】
最初にワセリンをステアリルアルコールと溶融状態で混ぜることにより組成物を調製する。レオロジー剤、即ちヒュームドシリカを、実質的に均一で湿潤するまで、プロペラ攪拌下でその溶融混合物へ加える。酸化亜鉛前分散物を、混合物が実質的に均一になるまで、例えば約７７℃（即ち、約１７０°Ｆ）の温度で３０分間にわたり、高剪断攪拌下でその溶融混合物へ加える。ローターステーター、ホモゲナイザー、GaulinＲミルまたはコロイドミルのような高剪断ミキサーが本発明に適している。一方、ステアリルアルコールは、他のすべての成分が混合された後で、溶融混合物へ加えてもよい。更にそれ以外に、ヒュームドシリカは最後に、即ち他のすべての成分が混合された後で、ヒュームドシリカが加えられて活性化されるまで粒状成分を懸濁させておける十分な攪拌が行われるならば加えることができる。得られた組成物は、吸収性物品のトップシート適用向け組成物として使用に適したレオロジー性を有している。特に、得られた組成物は室温で固形または半固形であり、約７７℃および０．１rad/secで約１００センチポイズの見掛け粘度および約４００dyne/cmの弾性率を有している。
【０１６８】
Ｂ．コンタクトスロットコーティングによる処理物品の製造
組成物を、前記の操作に従いコンタクトスロットコーターを用いて、吸収性物品の表面へ適用する。得られる吸収性物品は、実質的に均一なスキンケア組成物を少なくともその一部に付着させている。
【０１６９】
例２
本発明の例示スキンケア組成物は、下記表２で示された組成を有している：
0004637371.tif 000008
組成物および処理物品を例１と同様に製造する。得られた組成物は、吸収性物品のトップシート適用向け組成物として使用に適したレオロジー性を有している。特に、得られた組成物は室温で固形または半固形であり、約７７℃および０．１rad/secで約２００センチポイズの見掛け粘度および約２０００dyne/cmの弾性率を有している。
【０１７０】
例３
本発明の例示スキンケア組成物は、下記表３で示された組成を有している：
0004637371.tif 000009
組成物および処理物品を例１と同様に製造するが、但しベヘニルアルコールおよびオルガノクレーを用いる。得られた組成物は、吸収性物品のトップシート適用向け組成物として使用に適したレオロジー性を有している。特に、得られた組成物は室温で固形または半固形であり、約７７℃および０．１rad/secで約８センチポイズの見掛け粘度および約２０dyne/cmの弾性率を有している。
【０１７１】
0004637371.tif 000010
組成物および処理物品を例３と同様に製造する。得られた組成物は、吸収性物品のトップシート適用向け組成物として使用に適したレオロジー性を有している。特に、得られた組成物は室温で固形または半固形であり、７７℃および０．１rad/secで約８センチポイズの見掛け粘度および約２０dyne/cmの弾性率を有している。
【０１７２】
例５
本発明の例示スキンケア組成物は、下記表５で示された組成を有している：
0004637371.tif 000011
組成物および処理物品を例３と同様に製造する。得られた組成物は、吸収性物品のトップシート適用向け組成物として使用に適したレオロジー性を有している。特に、得られた組成物は室温で固形または半固形であり、約７７℃（即ち、約１７０°F）および０．１rad/secで約８センチポイズの見掛け粘度および約２０dyne/cmの弾性率を有している。
【０１７３】
例６
本発明の例示スキンケア組成物は、下記表６で示された組成を有している：
0004637371.tif 000012
組成物および処理物品を例１と同様に製造する。得られた組成物は室温で固形または半固形粘稠性を有している。
【０１７４】
例７
市販クリームまたは軟膏との比較
この例では、前記の例１〜５の組成物の性質を、市販クリームまたは軟膏と比較している。すべての組成物は酸化亜鉛スキンケア成分を含有している。
0004637371.tif 000013
0004637371.tif 000014
表７は、本発明の組成物が少なくとも約５０℃の温度で実質的に非流動性であることを示している。重要なことは、この特徴のおかげで本発明の組成物を吸収性物品の皮膚接触表面へ実質的に定着または“拘束”しうることである。
【０１７５】
例８
定着剤を含有していない組成物８（ａ）および８（ｂ）を前記の操作に従い調製する。組成物８（ａ）は８９％ワセリン、７％酸化亜鉛前分散物および４％ヒュームドシリカを有している。組成物８（ｂ）は６８％ワセリン、２７％酸化亜鉛前分散物および５％ヒュームドシリカを有している。組成物双方の融点は少なくとも約４５℃である。定着剤（例えば、ステアリルアルコール）は室温で固形または半固形粘稠性をもたらす上で不要である。
【図面の簡単な説明】
【図１】  本発明によるおむつの形態をとる吸収性物品である。
【図２】  本発明のローション組成物をおむつトップシートおよび／またはカフへ適用するために好ましい方法について説明する概略図である。
【図３】  本発明のローション組成物をおむつトップシートおよび／またはカフへ適用するための別な方法について説明する概略図である。
【図１】
0004637371.tif 000015
【図２】
0004637371.tif 000016
【図３】
0004637371.tif 000017